(57)【要約】本開示は、ランダムアクセスのための方法および装置を提供する。本方法は、通信ノードが、ランダムアクセス情報を取得することであって、ランダムアクセス情報は、プリアンブル伝送のサブフレームシーケンス番号と、プリアンブル伝送の無線フレームシーケンス番号とを備え、またはランダムアクセス情報は、プリアンブルを送信するために、時間領域位置インデックスと、周波数領域位置インデックスとを備える、ことと、通信ノードが、ランダムアクセス情報に従って、ランダムアクセス無線ネットワーク一時アイデンティティ（ＲＡ−ＲＮＴＩ）を判定することとを含む。
2019508932.tif 000002
【特許請求の範囲】
【請求項１】
ランダムアクセスのための方法であって、
通信ノードが、ランダムアクセス情報を取得することであって、前記ランダムアクセス情報は、プリアンブル伝送のサブフレームシーケンス番号、前記プリアンブル伝送の無線フレームシーケンス番号を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
【請求項２】
前記通信ノードが、ランダムアクセス情報に従って前記ＲＡ−ＲＮＴＩを判定することは、
前記通信ノードが、
ＲＡ＿ＲＮＴＩ＝ｎ０＋ｔ＿ｉｄ＋ｋ１×ｕ＿ｉｄ
として前記ＲＡ−ＲＮＴＩを判定することを含み、
式中、ｎ０およびｋ１は、係数であり、ｔ＿ｉｄは、前記プリアンブル伝送の初期サブフレームのシーケンス番号であり、ｕ＿ｉｄは、前記プリアンブル伝送の初期無線フレームのシーケンス番号である、請求項１に記載のランダムアクセスのための方法。
【請求項３】
前記ランダムアクセス情報はさらに、以下の、ランダムアクセス（ＲＡ）応答ウィンドウ長、前記プリアンブル伝送の間隔長であって、前記間隔長は、計算または事前構成を通して取得され得る、間隔長のうちの１つまたはそれらの組み合わせを備える、請求項１に記載のランダムアクセスのための方法。
【請求項４】
前記通信ノードが、ランダムアクセス情報に従って前記ＲＡ−ＲＮＴＩを判定することは、
前記通信ノードが、
ＲＡ＿ＲＮＴＩ＝ｎ０＋ｔ＿ｉｄ＋ｋ１×ｖ＿ｉｄ
として前記ＲＡ−ＲＮＴＩを判定することを含み、
式中、ｎ０およびｋ１は、定係数であり、ｔ＿ｉｄは、前記プリアンブル伝送の初期サブフレームのシーケンス番号であり、ｖ＿ｉｄは、以下の、
前記プリアンブル伝送の初期無線フレームのシーケンス番号、
前記ＲＡ応答ウィンドウ長、
前記プリアンブル伝送の間隔長であって、前記間隔長は、計算または事前構成を通して取得され得る、間隔長、
のうちの１つまたはそれらの組み合わせに従って判定される、包括的因数である、請求項３に記載のランダムアクセスのための方法。
【請求項５】
ｖ＿ｉｄ＝ｕ＿ｉｄ  ｍｏｄ  ＷＬｅｎまたは、
ｖ＿ｉｄ＝ｕ＿ｉｄ  ｍｏｄ（ＷＬｅｎ／１０）または、
ｖ＿ｉｄ＝（ｕ＿ｉｄ×１０）ｍｏｄ  ＷＬｅｎであり、
式中、ｕ＿ｉｄは、前記プリアンブル伝送の初期無線フレームのシーケンス番号であり、ＷＬｅｎは、サブフレームを単位として使用する、前記ＲＡ応答ウィンドウ長であり、ｍｏｄは、モジュラスを示す、請求項４に記載のランダムアクセスのための方法。
【請求項６】
ｖ＿ｉｄ＝（（ｕ＿ｉｄ×１０）／ＰＲＡＣＨＷｉｎＬｅｎ）ｍｏｄ  ＷＬｅｎまたは、
ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ）または、
ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示す、請求項４に記載のランダムアクセスのための方法。
【請求項７】
ｖ＿ｉｄ＝（（ｕ＿ｉｄ×１０）／ＰＲＡＣＨＷｉｎＬｅｎ）ｍｏｄ  ＷＬｅｎまたは、
ｖ＿ｉｄ＝（（ｕ＿ｉｄ×１０）／ＰＲＡＣＨＷｉｎＬｅｎ）ｍｏｄ  ｃｅｉｌ（ＷＬｅｎ／ＰＲＡＣＨＷｉｎＬｅｎ）または、
ｖ＿ｉｄ＝（（ｕ＿ｉｄ×１０）／ＰＲＡＣＨＷｉｎＬｅｎ）ｍｏｄ（ｆｌｏｏｒ（ＷＬｅｎ／ＰＲＡＣＨＷｉｎＬｅｎ）＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示し、ｃｅｉｌ（）は、上方丸めを示し、ｆｌｏｏｒ（）は、下方丸めを示す、請求項４に記載のランダムアクセスのための方法。
【請求項８】
ｖ＿ｉｄ＝（ｕ＿ｉｄ／ＰＲＡＣＨＷｉｎＬｅｎ）ｍｏｄ（ＷＬｅｎ／１０）または、
ｖ＿ｉｄ＝（ｕ＿ｉｄ／ＰＲＡＣＨＷｉｎＬｅｎ）ｍｏｄ（ＷＬｅｎ／（ＰＲＡＣＨＷｉｎＬｅｎ×１０））または、
ｖ＿ｉｄ＝（ｕ＿ｉｄ／ＰＲＡＣＨＷｉｎＬｅｎ）ｍｏｄ（（ＷＬｅｎ／（ＰＲＡＣＨＷｉｎＬｅｎ×１０））＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示す、請求項４に記載のランダムアクセスのための方法。
【請求項９】
ｖ＿ｉｄ＝（ｕ＿ｉｄ／ＰＲＡＣＨＷｉｎＬｅｎ）ｍｏｄ（ＷＬｅｎ／１０）または、
ｖ＿ｉｄ＝（ｕ＿ｉｄ／ＰＲＡＣＨＷｉｎＬｅｎ）ｍｏｄ  ｃｅｉｌ（ＷＬｅｎ／（ＰＲＡＣＨＷｉｎＬｅｎ×１０））または、
ｖ＿ｉｄ＝（ｕ＿ｉｄ／ＰＲＡＣＨＷｉｎＬｅｎ）ｍｏｄ（ｆｌｏｏｒ（ＷＬｅｎ／（ＰＲＡＣＨＷｉｎＬｅｎ×１０））＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示し、ｃｅｉｌ（）は、上方丸めを示し、ｆｌｏｏｒ（）は、下方丸めを示す、請求項４に記載のランダムアクセスのための方法。
【請求項１０】
前記通信ノードが、ランダムアクセス情報に従って前記ＲＡ−ＲＮＴＩを判定することは、
前記通信ノードが、
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ  ＷＬｅｎ）または、
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ））または、
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ＋１））
として前記ＲＡ−ＲＮＴＩを判定することを含み、
式中、ｔ＿ｉｄは、前記プリアンブル伝送の初期サブフレームのシーケンス番号であり、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、サブフレームを単位として使用して、計算または事前構成を通して取得されることができ、ＷＬｅｎは、前記ＲＡ応答ウィンドウ長であり、ｍｏｄは、モジュラスを示し、ｎ０は、係数である、請求項３に記載のランダムアクセスのための方法。
【請求項１１】
ＰＲＡＣＨＷｉｎＬｅｎは、同一のサブフレーム内の前記プリアンブル伝送の間隔長、つまり、フレームまたはサブフレームを単位として使用する、異なる無線フレーム内の同一のサブフレームの２つの近傍のプリアンブル伝送間の間隔長を示す、請求項４および請求項６−１０のいずれかに記載のランダムアクセスのための方法。
【請求項１２】
ＰＲＡＣＨＷｉｎＬｅｎは、同一のサブフレーム内の前記プリアンブル伝送の間隔長を示し、前記間隔長は、以下の計算を使用して取得され、
ＰＲＡＣＨＷｉｎＬｅｎ＝ＣＯＭＰＲＡＣＨ／ＮＰＲＡＣＨ＿ＰｅｒＦｒａｍｅ
式中、ＣＯＭＰＲＡＣＨは、ＰｐｒｅａｍｂｌｅおよびＮＰＲＡＣＨ＿ＰｅｒＦｒａｍｅの最小公倍数であり、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、請求項１１に記載のランダムアクセスのための方法。
【請求項１３】
ＰＲＡＣＨＷｉｎＬｅｎ＝１０×Ｐｐｒｅａｍｂｌｅ／ＮＰＲＡＣＨ＿ＰｅｒＦｒａｍｅであり、
式中、ＰＲＡＣＨＷｉｎＬｅｎは、前記プリアンブル伝送の間隔長を示し、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、請求項４および請求項６−１０のいずれかに記載のランダムアクセスのための方法。
【請求項１４】
ＰＲＡＣＨＷｉｎＬｅｎは、前記プリアンブル伝送の間隔長を示し、以下の、
前記物理ランダムアクセスチャネル（ＰＲＡＣＨ）リソース初期無線サブフレームシーケンス番号、
前記各無線フレーム内で構成されるＰＲＡＣＨリソースの数、
前記プリアンブルを伝送するために使用される、各無線フレーム内で構成されるサブフレームのシーケンス番号、
前記プリアンブルフォーマット、
前記プリアンブルの反復因数、
のうちの１つまたはそれらの組み合わせに従って判定されることができる、請求項４および請求項６−１０のいずれかに記載のランダムアクセスのための方法。
【請求項１５】
ＰＲＡＣＨＷｉｎＬｅｎは、前記プリアンブル伝送の事前構成された間隔長を示し、単位は、以下の、フレーム、サブフレーム、プリアンブル伝送の最大数のうちの１つであり得る、請求項４および請求項６−１０のいずれかに記載のランダムアクセスのための方法。
【請求項１６】
前記プリアンブルを伝送するために使用され得る無線フレームのシーケンス番号が、ＭＡＸＦｒａｍｅＩｎｄｅｘ−ＰＲＡＣＨＷｉｎＬｅｎを上回る、またはそれに等しい場合、これらのフレームをスキップし、０のシーケンス番号を伴う無線フレームから前記プリアンブルを伝送し得る無線フレームの再検出を開始し、ＭＡＸＦｒａｍｅＩｎｄｅｘは、前記無線フレームシーケンス番号に関する最大値である、請求項４および請求項６−１５のいずれかに記載のランダムアクセスのための方法。
【請求項１７】
ＷＬｅｎは、ＷＬｅｎ’によって置換され、ＷＬｅｎ’＝ＷＬｅｎ−２である、請求項５−１０のいずれかに記載のランダムアクセスのための方法。
【請求項１８】
ｎ０＝１である、請求項２および請求項４−１０のいずれかに記載のランダムアクセスのための方法。
【請求項１９】
ｋ１＝１０またはｋ１＝１＋ＭＡＸ（ｔ＿ｉｄ）であり、ＭＡＸ（ｔ＿ｉｄ）は、ｔ＿ｉｄ範囲内の最大値を示し、ｔ＿ｉｄは、前記プリアンブル伝送の初期サブフレームのシーケンス番号である、請求項２および請求項４−９のいずれかに記載のランダムアクセスのための方法。
【請求項２０】
前記通信ノードが、前記ランダムアクセス情報に従って前記ＲＡ−ＲＮＴＩを判定した後、前記ランダムアクセスのための方法はさらに、前記判定されたＲＡ−ＲＮＴＩが事前判定された値範囲内の最大値を超えると、前記通信ノードが、前記ＲＡ−ＲＮＴＩが事前判定された値であることを判定することを含む、請求項１に記載のランダムアクセスのための方法。
【請求項２１】
前記通信ノードが、ランダムアクセス情報に従って前記ＲＡ−ＲＮＴＩを判定することは、以下のタイプのランダムアクセス情報、すなわち、前記ランダムアクセス（ＲＡ）応答ウィンドウ長、前記プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、請求項１に記載のランダムアクセスのための方法。
【請求項２２】
ランダムアクセスのための方法であって、
通信ノードが、ランダムアクセス情報を取得することであって、前記ランダムアクセス情報は、プリアンブル伝送の時間領域位置インデックス情報、前記プリアンブル伝送の周波数領域位置インデックス情報を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
【請求項２３】
前記通信ノードが、ランダムアクセス情報に従って前記ＲＡ−ＲＮＴＩを判定することは、
前記通信ノードが、
ＲＡ＿ＲＮＴＩ＝ｎ０＋ｔ＿ｉｄ＋ｋ１×ｖ＿ｉｄ＋ＷＬｅｎ×ｗ＿ｉｄ
として前記ＲＡ−ＲＮＴＩを判定することを含み、
式中、ｎ０およびｋ１は、係数であり、ｔ＿ｉｄは、前記プリアンブル伝送の初期サブフレームのシーケンス番号であり、ｗ＿ｉｄは、前記プリアンブル伝送の周波数領域位置インデックスであり、ＷＬｅｎは、ランダムアクセス（ＲＡ）応答ウィンドウ長であり、ｖ＿ｉｄは、以下の、
前記プリアンブル伝送の無線フレームシーケンス番号、
前記物理ランダムアクセスチャネル（ＰＲＡＣＨ）リソース初期無線サブフレームシーケンス番号、
前記ＲＡ応答ウィンドウ長、
前記プリアンブル伝送の間隔長であって、前記間隔長は、計算または事前構成を通して取得され得る、間隔長、
のうちの１つまたはそれらの組み合わせに従って判定される、包括的因数である、請求項２２に記載のランダムアクセスのための方法。
【請求項２４】
ｖ＿ｉｄ＝（ｕ＿ｉｄ／ＰＲＡＣＨＷｉｎＬｅｎ）ｍｏｄ（ＷＬｅｎ／１０）または、
ｖ＿ｉｄ＝（ｕ＿ｉｄ／ＰＲＡＣＨＷｉｎＬｅｎ）ｍｏｄ  ｃｅｉｌ（ＷＬｅｎ／（ＰＲＡＣＨＷｉｎＬｅｎ×１０））または、
ｖ＿ｉｄ＝（ｕ＿ｉｄ／ＰＲＡＣＨＷｉｎＬｅｎ）ｍｏｄ（ｆｌｏｏｒ（ＷＬｅｎ／（ＰＲＡＣＨＷｉｎＬｅｎ×１０））＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示し、ｃｅｉｌ（）は、上方丸めを示し、ｆｌｏｏｒ（）は、下方丸めを示す、請求項２３に記載のランダムアクセスのための方法。
【請求項２５】
ＰＲＡＣＨＷｉｎＬｅｎは、同一のサブフレーム内の前記プリアンブル伝送の間隔長、つまり、フレームまたはサブフレームを単位として使用する、異なる無線フレーム内の同一のサブフレームの２つの近傍のプリアンブル伝送間の間隔長を示す、請求項２４に記載のランダムアクセスのための方法。
【請求項２６】
ＰＲＡＣＨＷｉｎＬｅｎは、同一のサブフレーム内の前記プリアンブル伝送の間隔長を示し、前記間隔長は、以下の計算を使用して取得され、
ＰＲＡＣＨＷｉｎＬｅｎ＝ＣＯＭＰＲＡＣＨ／ＮＰＲＡＣＨ＿ＰｅｒＦｒａｍｅ
式中ＣＯＭＰＲＡＣＨは、ＰｐｒｅａｍｂｌｅおよびＮＰＲＡＣＨ＿ＰｅｒＦｒａｍｅの最小公倍数であり、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、請求項２５に記載のランダムアクセスのための方法。
【請求項２７】
ＷＬｅｎは、ＷＬｅｎ’によって置換され、ＷＬｅｎ’＝ｎ０＋ＭＡＸ（ｔ＿ｉｄ）＋ｋ１×ＭＡＸ（ｕ＿ｉｄ）であり、ＭＡＸ（ｔ＿ｉｄ）は、ｔ＿ｉｄ範囲内の最大値を示し、ＭＡＸ（ｕ＿ｉｄ）は、ｕ＿ｉｄ範囲内の最大値を示し、ｕ＿ｉｄは、前記プリアンブル伝送の初期無線フレームのシーケンス番号であり、ｔ＿ｉｄは、前記プリアンブル伝送の初期サブフレームのシーケンス番号である、請求項２４に記載のランダムアクセスのための方法。
【請求項２８】
ｎ０＝１であり、ｋ１＝１０またはｋ１＝１＋ＭＡＸ（ｔ＿ｉｄ）であり、ＭＡＸ（ｔ＿ｉｄ）は、ｔ＿ｉｄ範囲内の最大値を示し、ｔ＿ｉｄは、前記プリアンブル伝送の初期サブフレームのシーケンス番号である、請求項２３または請求項２７に記載のランダムアクセスのための方法。
【請求項２９】
前記通信ノードが、前記ランダムアクセス情報に従って前記ＲＡ−ＲＮＴＩを判定した後、前記ランダムアクセスのための方法はさらに、前記ＲＡ−ＲＮＴＩが事前判定された値範囲内の最大値を超えると判定されると、前記通信ノードが、前記ＲＡ−ＲＮＴＩが事前判定された値であることを判定することを含む、請求項２２に記載のランダムアクセスのための方法。
【請求項３０】
前記通信ノードが、ランダムアクセス情報に従って前記ＲＡ−ＲＮＴＩを判定することは、以下のタイプのランダムアクセス情報、すなわち、前記ランダムアクセス（ＲＡ）応答ウィンドウ長、前記プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、請求項２２に記載のランダムアクセスのための方法。
【請求項３１】
ランダムアクセスのための方法であって、
通信ノードが、ランダムアクセス情報を取得することであって、前記ランダムアクセス情報は、端末プリアンブル伝送の時間領域位置インデックス情報、前記端末プリアンブル伝送の周波数領域位置インデックス情報を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
【請求項３２】
前記ランダムアクセス情報はさらに、以下の、ランダムアクセス（ＲＡ）応答ウィンドウ長、前記プリアンブル伝送の間隔長であって、前記間隔長は、計算または事前構成を通して取得され得る、間隔長のうちの１つまたはそれらの組み合わせを備える、請求項３１に記載のランダムアクセスのための方法。
【請求項３３】
前記通信ノードが、ランダムアクセス情報に従って前記ＲＡ−ＲＮＴＩを判定することは、
前記通信ノードが、
ＲＡ＿ＲＮＴＩ＝ｎ０＋ｓ＿ｉｄ＋ｗ＿ｉｄ×ＰＲＡＣＨＷｉｎＬｅｎ
として前記ＲＡ−ＲＮＴＩを判定することを含み、
式中、ｎ０は、係数であり、ｓ＿ｉｄは、前記端末プリアンブル伝送の時間領域位置インデックスであり、ｗ＿ｉｄは、前記端末プリアンブル伝送の周波数領域位置インデックスであり、ＰＲＡＣＨＷｉｎＬｅｎは、前記プリアンブル伝送の間隔長であり、前記間隔長は、計算または事前構成を通して取得されることができる、請求項３２に記載のランダムアクセスのための方法。
【請求項３４】
ＰＲＡＣＨＷｉｎＬｅｎは、同一のサブフレーム内の前記プリアンブル伝送の間隔長、つまり、フレームまたはサブフレームを単位として使用する、異なる無線フレーム内の同一のサブフレームの２つの近傍のプリアンブル伝送間の間隔長を示す、請求項３３に記載のランダムアクセスのための方法。
【請求項３５】
ＰＲＡＣＨＷｉｎＬｅｎは、同一のサブフレーム内の前記プリアンブル伝送の間隔長を示し、前記間隔長は、以下の計算を使用して取得され、
ＰＲＡＣＨＷｉｎＬｅｎ＝ＣＯＭＰＲＡＣＨ／ＮＰＲＡＣＨ＿ＰｅｒＦｒａｍｅ
式中、ＣＯＭＰＲＡＣＨは、ＰｐｒｅａｍｂｌｅおよびＮＰＲＡＣＨ＿ＰｅｒＦｒａｍｅの最小公倍数であり、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、請求項３４に記載のランダムアクセスのための方法。
【請求項３６】
ＰＲＡＣＨＷｉｎＬｅｎ＝１０×Ｐｐｒｅａｍｂｌｅ／ＮＰＲＡＣＨ＿ＰｅｒＦｒａｍｅであり、
式中、ＰＲＡＣＨＷｉｎＬｅｎは、前記プリアンブル伝送の間隔長を示し、ＮＰＲＡＣＨ＿ＰｅｒＦｒａｍｅは、各無線フレーム内で構成されるＰＲＡＣＨリソースの数を示し、Ｐｐｒｅａｍｂｌｅは、前記プリアンブルの反復因数を示す、請求項３３に記載のランダムアクセスのための方法。
【請求項３７】
ＰＲＡＣＨＷｉｎＬｅｎは、前記プリアンブル伝送の間隔長を示し、以下の、
前記物理ランダムアクセスチャネル（ＰＲＡＣＨ）リソース初期無線サブフレームシーケンス番号と、
前記各無線フレーム内で構成されるＰＲＡＣＨリソースの数と、
各無線フレーム内で構成される、前記プリアンブルを伝送するために使用されるサブフレームシーケンス番号と、
前記プリアンブルフォーマットと、
前記プリアンブルの反復因数と、
のうちの１つまたはそれらの組み合わせに従って判定されることができる、請求項３３に記載のランダムアクセスのための方法。
【請求項３８】
ＰＲＡＣＨＷｉｎＬｅｎは、前記プリアンブル伝送の事前構成された間隔長を示し、単位は、以下の、フレーム、サブフレーム、プリアンブル伝送の最大数のうちの１つであり得る、請求項３３に記載のランダムアクセスのための方法。
【請求項３９】
前記通信ノードが、ランダムアクセス情報に従って前記ＲＡ−ＲＮＴＩを判定することは、
前記通信ノードが、
ＲＡ＿ＲＮＴＩ＝ｎ０＋ｗ＿ｉｄ＋ｓ＿ｉｄ×ＰＲＡＣＨＦｒｅＬｅｎ
として前記ＲＡ−ＲＮＴＩを判定することを含み、
式中、ｎ０は、係数であり、ｓ＿ｉｄは、前記プリアンブル伝送の時間領域位置インデックスであり、ｗ＿ｉｄは、前記プリアンブル伝送の周波数領域位置インデックスであり、ＰＲＡＣＨＦｒｅＬｅｎは、前記プリアンブル伝送の周波数領域間隔長または周波数領域複信において送信され得る前記プリアンブル伝送の最大数である、請求項３１に記載のランダムアクセスのための方法。
【請求項４０】
ｎ０＝１である、請求項３３または請求項３９に記載のランダムアクセスのための方法。
【請求項４１】
ＰＲＡＣＨＦｒｅＬｅｎは、前記プリアンブル伝送の周波数間隔長を示し、以下のタイプの情報、すなわち、前記物理ランダムアクセスチャネル上で前記プリアンブルを伝送するために使用される周波数リソース構成情報、および周波数ホッピングモードのうちの１つまたはそれらの組み合わせに従って判定されることができる、請求項３９に記載のランダムアクセスのための方法。
【請求項４２】
前記時間領域位置インデックス情報は、以下の、
前記プリアンブル伝送のサブフレームシーケンス番号と、
前記プリアンブル伝送の無線フレームシーケンス番号と
のうちのいずれかを備える、請求項３１−４１のいずれかに記載のランダムアクセスのための方法。
【請求項４３】
前記周波数領域位置インデックス情報は、以下の、
前記プリアンブル伝送の初期周波数領域位置インデックスと、
前記プリアンブル伝送の周波数領域位置オフセットと、
周波数領域副搬送波インデックスと
のうちのいずれかを備える、請求項３１−４１のいずれかに記載のランダムアクセス方法。
【請求項４４】
前記通信ノードが、前記ランダムアクセス情報に従って前記ＲＡ−ＲＮＴＩを判定した後、前記ランダムアクセスのための方法はさらに、前記ＲＡ−ＲＮＴＩが事前判定された値範囲内の最大値を超えると判定されると、前記通信ノードが、前記ＲＡ−ＲＮＴＩが事前判定された値であることを判定することを含む、請求項３１に記載のランダムアクセスのための方法。
【請求項４５】
前記通信ノードが、ランダムアクセス情報に従って前記ＲＡ−ＲＮＴＩを判定することは、以下のタイプのランダムアクセス情報、すなわち、前記ランダムアクセス（ＲＡ）応答ウィンドウ長、プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、請求項３１に記載のランダムアクセスのための方法。
【請求項４６】
ランダムアクセスのための方法であって、
通信ノードが、ランダムアクセス情報相関因数を取得することと、
前記通信ノードが、前記ランダムアクセス情報相関因数に従って、ランダムアクセス無線ネットワーク一時アイデンティティ（ＲＡ−ＲＮＴＩ）を判定することと
を含む、ランダムアクセスのための方法。
【請求項４７】
前記通信ノードが、ランダムアクセス情報相関因数に従ってＲＡ−ＲＮＴＩを判定することは、
前記通信ノードが、
【数３】
2019508932.tif 000010
として前記ＲＡ−ＲＮＴＩを判定することを含み、
式中、ｎ０は、係数であり、Ｎは、ランダムアクセス情報相関因数の数であり、
【数４】
2019508932.tif 000011
ＭＡＸ（ｃｉ−１）は、ｃｉ−１の最大値を示す、請求項４６に記載のランダムアクセスのための方法。
【請求項４８】
ｎ０＝１である、請求項４７に記載のランダムアクセスのための方法。
【請求項４９】
前記ランダムアクセス情報相関因数は、以下の、
前記プリアンブル伝送の初期サブフレームのシーケンス番号と、
前記プリアンブル伝送の初期無線フレームのシーケンス番号と、
前記各無線フレーム内で構成される物理ランダムアクセスチャネルリソースの数と、
プリアンブル反復因数と、
前記プリアンブル伝送の最終サブフレームのシーケンス番号と、
前記プリアンブル伝送の最終無線フレームのシーケンス番号と、
前記プリアンブル伝送の周波数領域位置オフセットと、
周波数領域副搬送波インデックスと、
前記ランダムアクセス（ＲＡ）応答ウィンドウ長と
のうちの１つまたはそれらの組み合わせを備える、請求項４６に記載のランダムアクセスのための方法。
【請求項５０】
前記通信ノードが、前記ランダムアクセス情報相関因数に従って前記ＲＡ−ＲＮＴＩを判定した後、前記ランダムアクセスのための方法はさらに、前記ＲＡ−ＲＮＴＩが事前判定された値範囲内の最大値を超えると判定されると、前記通信ノードが、前記ＲＡ−ＲＮＴＩが事前判定された値であることを判定することを含む、請求項４６に記載のランダムアクセスのための方法。
【請求項５１】
前記通信ノードが、ランダムアクセス情報相関因数に従って前記ＲＡ−ＲＮＴＩを判定することは、以下のタイプのランダムアクセス情報、すなわち、前記ランダムアクセス（ＲＡ）応答ウィンドウ長、前記プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、請求項４６に記載のランダムアクセスのための方法。
【請求項５２】
通信ノードに適用可能なランダムアクセスのための装置であって、
ランダムアクセス情報を取得するように構成された情報取得モジュールであって、前記ランダムアクセス情報は、プリアンブル伝送のサブフレームシーケンス番号、前記プリアンブル伝送の無線フレームシーケンス番号を備える、情報取得モジュールと、
前記ランダムアクセス情報に従って、ランダムアクセス無線ネットワーク一時アイデンティティ（ＲＡ−ＲＮＴＩ）を判定するように構成されている、処理ユニットと
を備える、ランダムアクセスのための装置。
【請求項５３】
ランダムアクセスのための方法であって、
通信ノードが、ランダムアクセス情報を取得することと、
前記通信ノードが、ランダムアクセス応答ウィンドウ関連情報を判定することと
を含む、ランダムアクセスのための方法。
【請求項５４】
前記ランダムアクセス情報は、以下の、
ダウンリンクチャネル反復情報またはその入力としてこれを伴う関数、
ダウンリンク制御伝送周期（ＰＤＣＣＨ周期）またはその入力としてこれを伴う関数、
ダウンリンク制御チャネル伝送間隔（ＰＤＣＣＨ伝送持続時間）またはその入力としてこれを伴う関数、
ダウンリンク共有チャネル伝送周期（ＰＤＳＣＨ周期）またはその入力としてこれを伴う関数、
ダウンリンク共有チャネル伝送間隔（ＰＤＳＣＨ伝送持続時間）またはその入力としてこれを伴う関数、
アップリンクチャネル反復情報またはその入力としてこれを伴う関数、
アップリンクアクセスチャネル伝送周期（ＰＲＡＣＨ周期）またはその入力としてこれを伴う関数、
アップリンクアクセスチャネル伝送間隔（ＰＲＡＣＨ伝送持続時間）またはその入力としてこれを伴う関数、
のうちの１つまたはそれらの組み合わせを備える、請求項５３に記載のランダムアクセスのための方法。
【請求項５５】
前記ランダムアクセス応答ウィンドウ関連情報は、
ランダムアクセス応答ウィンドウ開始時間、
ランダムアクセス応答ウィンドウ初期時間領域位置、
前記ランダムアクセス応答ウィンドウ開始時間と先頭伝送終了時間との間の間隔、
を備える、請求項５３に記載のランダムアクセスのための方法。
【請求項５６】
ランダムアクセスのための方法であって、
通信ノードが、ランダムアクセス情報を取得することであって、前記ランダムアクセス情報は、プリアンブル伝送のスーパーフレームシーケンス番号を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
【請求項５７】
前記通信ノードが、ランダムアクセス情報に従って前記ＲＡ−ＲＮＴＩを判定することは、
前記通信ノードが、
ＲＡ＿ＲＮＴＩ＝ｎ０＋ｋ１×ＨＳＦＮ＿ｉｄ
として前記ＲＡ−ＲＮＴＩを判定することを含み、
式中、ｎ０およびｋ１は、係数であり、ＨＳＦＮ＿ｉｄは、前記プリアンブル伝送のスーパーフレームシーケンス番号である、請求項５６に記載のランダムアクセスのための方法。
【請求項５８】
前記通信ノードが、ランダムアクセス情報に従って前記ＲＡ−ＲＮＴＩを判定することは、
前記通信ノードが、
ＲＡ＿ＲＮＴＩ＝ｎ０＋ｋ１×ｆ（ＨＳＦＮ＿ｉｄ）
として前記ＲＡ−ＲＮＴＩを判定することを含み、
式中、ｎ０およびｋ１は、係数であり、ｆ（）は、その入力としてＨＳＦＮ＿ｉｄをとる関数を示し、ＨＳＦＮ＿ｉｄは、前記プリアンブル伝送のスーパーフレームシーケンス番号である、請求項５６に記載のランダムアクセスのための方法。
【請求項５９】
前記通信ノードが、ランダムアクセス情報に従って前記ＲＡ−ＲＮＴＩを判定することは、
前記通信ノードが、
ＲＡ＿ＲＮＴＩ＝ｎ０＋ｍ×ｆ（ｋｉ，Ｃｉ）
として前記ＲＡ−ＲＮＴＩを判定することを含み、
式中、ｆ（）は、その入力としてｋｉ、Ｃｉをとる関数を示し、Ｃｉは、ランダムアクセス情報であり、ｎ０、ｍ、およびｋｉは、係数である、請求項５６に記載のランダムアクセスのための方法。
【請求項６０】
前記ランダムアクセス情報は、以下の、
前記プリアンブル伝送のスーパーフレームシーケンス番号（ＨＳＦＮ＿ｉｄ）またはその入力としてこれを伴う関数と、
前記プリアンブル伝送の無線フレームシーケンス番号（ＳＦＮ＿ｉｄ）またはその入力としてこれを伴う関数と、
前記プリアンブル伝送のサブフレームシーケンス番号（ｓｕｂＳＦＮ＿ｉｄ）またはその入力としてこれを伴う関数と、
前記プリアンブル伝送の周波数領域位置インデックス（ｆ＿ｉｄ）またはその入力としてこれを伴う関数と、
前記プリアンブル伝送の周波数領域オフセット（ｆ＿ｏｆｆｓｅｔ）またはその入力としてこれを伴う関数と、
前記プリアンブル伝送の副搬送波インデックス（ｔｏｎｅ＿ｉｄ）またはその入力としてこれを伴う関数と、
前記プリアンブル伝送の帯域インデックス（ｂａｎｄ＿ｉｄ）またはその入力としてこれを伴う関数と、
ダウンリンク制御チャネルの伝送周期（ＰＤＣＣＨ周期）またはその入力としてこれを伴う関数と、
前記ランダムアクセスチャネル上の伝送周期（ＰＲＡＣＨ周期）またはその入力としてこれを伴う関数と、
前記プリアンブル伝送の間隔長（プリアンブル周期）であって、前記間隔は、計算または事前構成を通して取得され得る、間隔長（プリアンブル周期）またはその入力としてこれを伴う関数と、
前記ＲＡ応答ウィンドウ長（Ｗ＿ＲＡＲ）またはその入力としてこれを伴う関数と、
前記ＲＡ応答ウィンドウ長（Ｗ＿ＲＡＲ）によって持続される最大長（ＭＷ＿ＲＡＲ）と、
前記スーパーフレーム内に含有される無線フレームの数（ＨＳＦＮ数）またはその入力としてこれを伴う関数と、
前記ダウンリンク制御チャネル検索空間内で持続される効果的なサブフレームの数（ＲＭａｘ）またはその入力としてこれを伴う関数と、
前記ダウンリンク制御チャネル上の繰り返し数（Ｒｉ）またはその入力としてこれを伴う関数と
のうちの１つまたはそれらの組み合わせを備える、請求項５６−５９のいずれかに記載のランダムアクセスのための方法。
【請求項６１】
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×ｆｌｏｏｒ（ＳＦＮ＿ｉｄ／ｍｉｎＰｅｒｉｏｄ）＋ｋ２×ｃｅｉｌ（ＨＳＦＮｎｕｍｂｅｒ／ｍｉｎＰｅｒｉｏｄ）×（ＨＳＦＮ＿ｉｄ  ｍｏｄ  ＭＷ＿ＲＡＲ）
として前記ＲＡ−ＲＮＴＩを判定することを含み、
式中、ｎ０は、係数であり、ｍｉｎＰｅｒｉｏｄは、ランダムアクセスの最小周期であり、ｍｉｎＰｅｒｉｏｄに関する単位は、フレームであり、ＭＷ＿ＲＡＲは、前記ＲＡ応答ウィンドウ長（Ｗ＿ＲＡＲ）によって持続される最大長であり、ＭＷ＿ＲＡＲに関する単位は、スーパーフレームであり、ｋｉは、正整数であり、ｉ＝１、２であり、ｆｌｏｏｒ（）は、下方丸めを示し、ｃｅｉｌ（）は、上方丸めを示し、ｂａｎｄ＿ｉｄは、前記プリアンブル伝送の帯域インデックスであり、ＳＦＮ＿ｉｄは、前記プリアンブル伝送の無線フレームシーケンス番号であり、ＨＳＦＮｎｕｍｂｅｒは、スーパーフレーム内に含有される無線フレームの数であり、ＨＳＦＮ＿ｉｄは、前記プリアンブル伝送のスーパーフレームシーケンス番号である、請求項５６−６０のいずれかに記載のランダムアクセスのための方法。
【請求項６２】
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×ｆｌｏｏｒ（ＳＦＮ＿ｉｄ／ｍｉｎＰｅｒｉｏｄ）＋ｆｌｏｏｒ（Ｒｍａｘ／ｚ）×［ｋ２×ｃｅｉｌ（ＨＳＦＮｎｕｍｂｅｒ／ｍｉｎＰｅｒｉｏｄ）×（ＨＳＦＮ＿ｉｄ  ｍｏｄ  ＭＷ＿ＲＡＲ）］
として前記ＲＡ−ＲＮＴＩを判定することを含み、
式中、ｎ０は、係数であり、ｍｉｎＰｅｒｉｏｄは、ランダムアクセスの最小周期であり、ｍｉｎＰｅｒｉｏｄに関する単位は、フレームであり、ＭＷ＿ＲＡＲは、前記ＲＡ応答ウィンドウ長（Ｗ＿ＲＡＲ）によって持続される最大長であり、ＭＷ＿ＲＡＲに関する単位は、スーパーフレームであり、ｚは、第１の閾値であり、値範囲は、正整数であり、ｋｉは、正整数であり、ｉ＝１、２であり、ｆｌｏｏｒ（）は、下方丸めを示し、ｃｅｉｌ（）は、上方丸めを示し、ｂａｎｄ＿ｉｄは、前記プリアンブル伝送の帯域インデックスであり、ＳＦＮ＿ｉｄは、前記プリアンブル伝送の無線フレームシーケンス番号であり、ＨＳＦＮｎｕｍｂｅｒは、スーパーフレーム内に含有される無線フレームの数であり、ＨＳＦＮ＿ｉｄは、前記プリアンブル伝送のスーパーフレームシーケンス番号であり、Ｒｍａｘは、前記ダウンリンク制御チャネル検索空間内の効果的なサブフレームの数である、請求項５６−６０に記載のランダムアクセスのための方法。
【請求項６３】
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×［ｆｌｏｏｒ（Ｒｍａｘ／ｚ）×（ＨＳＦＮ＿ｉｄ  ｍｏｄ  ＭＷ＿ＲＡＲ）］＋ｋ３×ｆｌｏｏｒ（ＳＦＮ＿ｉｄ／ｍｉｎＰｅｒｉｏｄ）
として前記ＲＡ−ＲＮＴＩを判定することを含み、
式中、ｎ０は、係数であり、ｚは、第１の閾値であり、値範囲は、正整数であり、ｋｉの値は、これに先行する１つ以上の因数を合計した後の最大値であり、ｉ＝１、２、３であり、ｆｌｏｏｒ（）は、下方丸めを示し、ＭＷ＿ＲＡＲは、前記ＲＡ応答ウィンドウ長（Ｗ＿ＲＡＲ）によって持続される最大長であり、ｂａｎｄ＿ｉｄは、前記プリアンブル伝送の帯域インデックスであり、ＳＦＮ＿ｉｄは、前記プリアンブル伝送の無線フレームシーケンス番号であり、Ｒｍａｘは、前記ダウンリンク制御チャネル検索空間内の効果的なサブフレームの数であり、ＨＳＦＮ＿ｉｄは、前記プリアンブル伝送のスーパーフレームシーケンス番号であり、ｍｉｎＰｅｒｉｏｄは、ランダムアクセスの最小周期である、請求項５６−６０に記載のランダムアクセスのための方法。
【請求項６４】
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×（ＨＳＦＮ＿ｉｄ  ｍｏｄ  ＭＷ＿ＲＡＲ）＋ｋ３×ＭＷ＿ＲＡＲ×ｆｌｏｏｒ（ＳＦＮ＿ｉｄ／ｍｉｎＰｅｒｉｏｄ）
として前記ＲＡ−ＲＮＴＩを判定することを含み、
式中、ｎ０は、係数であり、ｋｉの値は、これに先行する１つ以上の因数を合計した後の最大値であり、ｋｉは、正整数であり、ｉ＝１、２、３であり、ｆｌｏｏｒ（）は、下方丸めを示し、ＭＷ＿ＲＡＲは、前記ＲＡ応答ウィンドウ長（Ｗ＿ＲＡＲ）によって持続される最大長であり、ｂａｎｄ＿ｉｄは、前記プリアンブル伝送の帯域インデックスであり、ＳＦＮ＿ｉｄは、前記プリアンブル伝送の無線フレームシーケンス番号であり、ＨＳＦＮ＿ｉｄは、前記プリアンブル伝送のスーパーフレームシーケンス番号であり、ｍｉｎＰｅｒｉｏｄは、ランダムアクセスの最小周期である、請求項５６−６０のいずれかに記載のランダムアクセスのための方法。
【請求項６５】
ｎ０の値は、１である、請求項５６−６４のいずれかに記載のランダムアクセスのための方法。
【請求項６６】
ＭＷ＿ＲＡＲは、ダウンリンク制御チャネル伝送周期（ＰＤＣＣＨ周期）に従って判定され、ＭＷ＿ＲＡＲは、前記ＰＤＣＣＨ周期×ｋに対応するスーパーフレームの最大数である、またはＭＷ＿ＲＡＲは、ＲＡＲ検出ウィンドウに対応するスーパーフレームの最大数であり、ｋは、係数である、請求項５６−６４のいずれかに記載のランダムアクセスのための方法。
【請求項６７】
以下のＲＡ−ＲＮＴＩ計算式またはｍｉｎＰｅｒｉｏｄ値のうちの少なくとも１つは、以下の、ダウンリンク制御チャネル検索空間によって持続される効果的なサブフレームの数（Ｒｍａｘ）、前記ダウンリンク制御チャネル伝送周期、またはＲＡＲウィンドウ長のうちの少なくとも１つによって判定されることができる、請求項５６−６６のいずれかに記載のランダムアクセスのための方法。
【請求項６８】
以下の、Ｒｍａｘ、前記ダウンリンク制御チャネル伝送周期、または前記ＲＡＲウィンドウ長のうちの少なくとも１つに基づいて前記ｍｉｎＰｅｒｉｏｄ値を判定することは、
最小ＰＲＡＣＨ周期として前記ｍｉｎＰｅｒｉｏｄを判定すること、
前記Ｒｍａｘ値に従って前記ｍｉｎＰｅｒｉｏｄを判定すること、
前記ダウンリンク制御チャネル伝送周期値に従って前記ｍｉｎＰｅｒｉｏｄを判定すること、または、
前記ＲＡＲウィンドウ長に従って前記ｍｉｎＰｅｒｉｏｄ値を判定すること、
を含む、請求項６７に記載のランダムアクセスのための方法。
【請求項６９】
以下の、Ｒｍａｘ、前記ダウンリンク制御チャネル伝送周期、または前記ＲＡＲウィンドウ長のうちの少なくとも１つに従って前記ＲＡ−ＲＮＴＩ計算式を判定することは、
前記Ｒｍａｘに従って前記ＲＡ−ＲＮＴＩ計算式を判定すること、
前記ダウンリンク制御チャネル伝送周期に従って前記ＲＡ−ＲＮＴＩ計算式を判定すること、または、
前記ＲＡＲウィンドウ長に従って前記ＲＡ−ＲＮＴＩ計算式を判定すること、
を含む、請求項６７に記載のランダムアクセスのための方法。
【請求項７０】
ｋ１は、１であり、ｋ２は、システムにおける帯域の最大数である、請求項６１−６４のいずれかに記載のランダムアクセスのための方法。
【請求項７１】
ｚに関する値範囲は、２０４８、１０２４、５１２、２５６、１２８、６４を含む、請求項６２−６３のいずれかに記載のランダムアクセスのための方法。
【発明の詳細な説明】
【技術分野】
【０００１】
本願は、限定ではないが、通信の技術分野、特に、ランダムアクセスのための方法および装置に関する。
【背景技術】
【０００２】
（背景）
マシンタイプ通信（ＭＴＣ）が、現在、第５世代（５Ｇ）モバイル通信技術の研究にとって重要な焦点であり、これはまた、将来のワイヤレス通信のために重要な適用領域でもある。ＭＴＣトピックでは、狭帯域のモノのインターネット（（ＮＢ−ＩＯＴ）の研究サブトピックが、低コスト、低電力消費、低モビリティ、および低スループット等の端末の特性のために、つまり、ＮＢ−ＩｏＴ低コストユーザ機器（ＵＥ）のために２００ｋＨｚの周波数帯域内で低スループットワイヤレス通信サービスを提供するために提案されている。
【０００３】
元々のロングタームエボリューション（ＬＴＥ）無線インターフェース初期確立プロセスでは、端末は、競合する機構を使用し、プリアンブル伝送の最後のサブフレームの後の第３のサブフレームの位置においてランダムアクセス（ＲＡ）応答ウィンドウを開始する前にプリアンブルを伝送し、それに応じて、端末は、ランダムアクセス応答（ＲＡＲ）メッセージを受信するように待機する。ＲＡ応答ウィンドウの長さは、システムメッセージングによって構成され、最大長は、１０個の無線サブフレーム（すなわち、１つの無線フレーム）である。端末は、ランダムアクセス無線ネットワーク一時アイデンティティ（ＲＡ−ＲＮＴＩ）を使用し、物理ダウンリンク制御チャネル（ＰＤＣＣＨ）を復調し、次いで、物理ダウンリンク共有チャネル（ＰＤＳＣＨ）を復調し、そのＲＡＲを含有する媒体アクセス制御（ＭＡＣ）プロトコルデータユニット（ＰＤＵ）を取得する。プリアンブルの時間周波数位置は、ＲＡ−ＲＮＴＩの値を判定し、基地局および端末は、それぞれ、プリアンブル時間周波数位置に基づいて、同じＲＡ−ＲＮＴＩ値を計算する。関連する規格では、ＲＡ−ＲＮＴＩを計算するための公式は、以下の通りである。
【０００４】
ＲＡ−ＲＮＴＩ＝１＋ｔ＿ｉｄ＋１０×ｆ＿ｉｄ
【０００５】
式中、ｔ＿ｉｄは、プリアンブル伝送の初期サブフレーム（すなわち、第１のサブフレーム）に関するシーケンス番号を示し、値範囲は、［１，１０］、つまり、０≦ｔ＿ｉｄ＜１０であり、ｆ＿ｉｄは、昇順における、サブフレーム内の物理ランダムアクセスチャネル（ＰＲＡＣＨ）の周波数領域位置であり、値範囲は、［０，６］、つまり、０≦ｆ＿ｉｄ＜６である。上記の公式によると、ＲＡ−ＲＮＴＩに関する値範囲は、［１，６０］である。
【０００６】
周波数分割複信（ＦＤＤ）システムに関して、ｆ＿ｉｄは、常時、０に等しく、上記の公式は、以下のように簡略化されることができる。
【０００７】
ＲＡ−ＲＮＴＩ＝１＋ｔ＿ｉｄ
【０００８】
式中、ｔ＿ｉｄは、端末プリアンブル伝送の第１のサブフレームのシーケンス番号を示す。
【０００９】
前述の内容に基づいて、以下を確認する。（１）２つの端末が、同一の無線フレームの同一のサブフレーム内でプリアンブルを伝送する場合、そのＲＡ応答ウィンドウは、重複し、ＰＤＣＣＨをスクランブルするために基地局によって伝送されるＲＡＲのＲＡ−ＲＮＴＩもまた、同一であり、後続干渉解決を用いてのみ処理されることができる、（２）２つの端末が、異なる無線フレームの同一のサブフレーム内でプリアンブルを伝送する場合、ＰＤＣＣＨをスクランブルするために基地局によって伝送されるＲＡＲのＲＡ−ＲＮＴＩは、同一であるが、２つの端末によって受信されたＲＡＲのＲＡ応答ウィンドウは、ＲＡ応答ウィンドウが１つの無線サブフレームよりも長くないであろうため、重複し得ず、ＲＡ応答ウィンドウ分離が、干渉を回避するために使用されることができる、（３）２つの端末が、異なる無線フレームの異なるサブフレーム内でプリアンブルを伝送する場合、異なるＲＡ−ＲＮＴＩが、干渉を回避するために計算されることができる。
【００１０】
要約すれば、関連する規格のＲＡ応答ウィンドウの値範囲に基づいて、ＲＡ−ＲＮＴＩ計算は、プリアンブル伝送の可変初期サブフレーム間の差異を判定することのみが必要である。
【００１１】
ＭＴＣおよびＮＢ−ＩｏＴ通信シナリオがなければ、情報を伝送および受信する低コスト端末の能力は、限定される、またはカバレッジ不良が存在し、したがって、関連研究は、アップリンク伝送およびダウンリンク伝送中の反復機能を導入し、つまり、端末がアップリンクメッセージを伝送しているか、または基地局がダウンリンクメッセージを伝送しているかにかかわらず、ある数の反復伝送が、受信を確実にするために規定される。対応して、端末がダウンリンク情報を受信する、または基地局がアップリンク情報を受信するために要求される時間は、延長され得、したがって、関連研究におけるＲＡ応答ウィンドウに関する値範囲は、拡張され、最大のものは、４００個のサブフレーム（すなわち、４０個の無線フレーム）である。
【００１２】
関連研究はまた、カバレッジエリアおよびシナリオ間の差異を反映するために、カバレッジランキングの概念を導入した。同一のカバレッジランキング内に位置する端末に関するアップリンクチャネルは、同一の反復因数を使用し得、ＲＡ応答ウィンドウの長さもまた、同一であり得ると見なされることができる。
【００１３】
前述の分析を要約するために、異なる無線フレームの同一のサブフレーム内でプリアンブルを伝送する端末に関して、ＲＡ応答ウィンドウは、ＲＡ応答ウィンドウの長さが延長後に１つの無線フレームを超え得るため、重複し得ることを確認する。図１は、ＲＡ応答ウィンドウの延長によって引き起こされる２つの端末のＲＡ応答ウィンドウ重複の図示である。図１内で、グリッドマーキングを伴うサブフレームは、プリアンブル伝送に関する初期サブフレーム位置であり、スラッシュマーキングを伴うサブフレームは、ＲＡ応答ウィンドウ位置である。しかしながら、既存のＲＡ−ＲＮＴＩ計算式に基づいて、図１に表される２つの端末のＲＡ−ＲＮＴＩは、同一であり、一方では、２つの端末は、重複するＲＡ応答ウィンドウ内でＰＤＣＣＨを２回復調する必要があり得、これは、電力消費を増加させ、他方では、２つの端末は、全く同時に同一のプリアンブルシーケンスを使用し得、そのＲＡＲのコンテンツは、同一であり、これは、後続干渉解決プロセスを要求し、少なくとも１つの端末は、受信障害を有し、これは、付加的干渉と同等である。
【発明の概要】
【発明が解決しようとする課題】
【００１４】
（発明の要約）
以下は、本開示内に詳細に説明される主要トピックの簡潔な概観である。本概要は、本請求項の範囲を限定することを意図されない。本発明の実施形態は、端末間でランダムアクセス（ＲＡ）応答ウィンドウ重複が存在するときに付加的干渉が起こらないであろうことを確実にすることおよび端末電力消費を低減させることの両方を行い得る、ランダムアクセスのための方法および装置を提供する。
【課題を解決するための手段】
【００１５】
本実施形態のランダムアクセス方法は、通信ノードが、ランダムアクセス情報を取得することであって、ランダムアクセス情報は、プリアンブル伝送のサブフレームシーケンス番号、プリアンブル伝送の無線フレームシーケンス番号を備える、ことと、通信ノードが、ランダムアクセス情報に基づいてＲＡ−ＲＮＴＩを判定することとを含む。
【００１６】
本発明の実施形態はさらに、通信ノードが、ランダムアクセス情報を取得することであって、ランダムアクセス情報は、プリアンブル伝送の時間領域位置インデックス情報、プリアンブル伝送の周波数領域位置インデックス情報を備える、ことと、通信ノードが、ランダムアクセス情報に基づいてＲＡ−ＲＮＴＩを判定することとを含む、ランダムアクセスのための方法を提供する。
【００１７】
本発明の実施形態はさらに、通信ノードが、ランダムアクセス情報を取得することであって、ランダムアクセス情報は、端末プリアンブル伝送の時間領域位置インデックス情報と、端末プリアンブル伝送の周波数領域位置インデックス情報とを備える、ことと、通信ノードが、ランダムアクセス情報に基づいてＲＡ−ＲＮＴＩを判定することとを含む、ランダムアクセスのための方法を提供する。
【００１８】
本発明の実施形態はさらに、通信ノードが、ランダムアクセス情報の相関因数を取得することと、通信ノードが、ランダムアクセス情報相関因数に従ってＲＡ−ＲＮＴＩを判定することとを含む、ランダムアクセスのための方法を提供する。
【００１９】
本発明はまた、通信ノードに適用可能なランダムアクセス装置を提供し、ランダムアクセス装置は、ランダムアクセス情報を取得するように構成される情報取得モジュールであって、ランダムアクセス情報は、プリアンブル伝送のサブフレームシーケンス番号、プリアンブル伝送の無線フレームシーケンス番号を備える、情報取得モジュールと、ランダムアクセス情報に従ってＲＡ−ＲＮＴＩを判定するように構成される、処理モジュールとを備える。
【００２０】
本発明の実施形態はさらに、通信ノードが、ランダムアクセス情報を取得することと、通信ノードが、ランダムアクセス情報に基づいて、ランダムアクセス応答ウィンドウ関連情報を判定することとを含む、ランダムアクセスのための方法を提供する。
【００２１】
本発明の実施形態はさらに、通信ノードが、ランダムアクセス情報を取得することであって、ランダムアクセス情報は、プリアンブル伝送のスーパーフレームシーケンス番号を備える、ことと、通信ノードが、ランダムアクセス情報に基づいてＲＡ−ＲＮＴＩを判定することとを含む、ランダムアクセスのための方法を提供する。
【００２２】
加えて、本実施形態はまた、コンピュータ実行可能命令を記憶されるコンピュータ可読記憶媒体を提供し、コンピュータ実行可能命令は、前述のランダムアクセスのための方法のいずれかを実装するために、プロセッサによって実行される。
【００２３】
本実施形態は、ＲＡ−ＲＮＴＩ計算式を通して、異なる、プリアンブル伝送の初期無線フレームまたはプリアンブル伝送の周波数領域位置インデックス情報の因数を反映することができ、ＲＡ応答ウィンドウが重複すると、本実施形態は、付加的干渉が生成されないであろうことを確実にすることおよび電力消費を低減させることの両方を行う。
【００２４】
付随の図面および詳細な説明を熟読および理解した後、本実施形態の他の側面を理解することができる。
【図面の簡単な説明】
【００２５】
【図１】図１は、ＲＡ応答ウィンドウの延長によって引き起こされる２つの端末のＲＡ応答ウィンドウ重複の図示である。
【図２】図２は、本実施形態によって提供される、ランダムアクセスのための方法のフローチャートである。
【図３】図３は、本実施形態の実施形態５の実施例１の図示である。
【図４】図４は、本実施形態の実施形態５の実施例２の図示である。
【図５】図５は、本実施形態によって提供される、ランダムアクセスのための装置の図示である。
【図６】図６は、本実施形態によって提供される、ランダムアクセスのための別の方法のフローチャートである。
【発明を実施するための形態】
【００２６】
（例示的実施形態の詳細な説明）
本実施形態は、ここで、図面を参照して詳細に説明されるであろう。以下の説明の実施形態は、本願を説明および描写することのみを意味し、これを限定する役割を果たさないことに留意されたい。
【００２７】
図２は、本実施形態によって提供される、ランダムアクセスのための方法のフローチャートである。図２が示すように、本実施形態は、以下のステップを含む、ランダムアクセスのための方法を提供する。
【００２８】
ステップ２０１：通信ノードが、ランダムアクセス情報を取得することであって、ランダムアクセス情報は、プリアンブル伝送のサブフレームシーケンス番号と、プリアンブル伝送の無線フレームシーケンス番号とを備える、こと。
【００２９】
ステップ２０２：通信ノードが、ランダムアクセス情報に従ってランダムアクセス無線ネットワーク一時アイデンティティ（ＲＡ−ＲＮＴＩ）を判定すること。
【００３０】
通信ノードは、例えば、端末または基地局である。端末は、端末自体のランダムアクセス情報に基づいてＲＡ−ＲＮＴＩを判定することができ、基地局は、対応する端末のランダムアクセス情報に基づいてＲＡ−ＲＮＴＩを判定することができる。
【００３１】
好ましい実施形態では、ランダムアクセス情報は、プリアンブル伝送の初期または最終サブフレームのシーケンス番号、プリアンブル伝送の初期または最終無線フレームのシーケンス番号を備えることができる。しかしながら、本開示の実施形態は、それに限定されない。他の好ましい実施形態に関して、プリアンブル伝送の初期サブフレームシーケンス番号は、非初期サブフレーム位置のシーケンス番号およびその対応する情報に従って判定されることができる、または初期無線フレームシーケンス番号は、非初期無線フレーム位置のシーケンス番号およびその対応する情報に従って判定されることができる。
【００３２】
好ましい実施形態では、ステップ２０２は、
【００３３】
通信ノードが、以下のようにＲＡ−ＲＮＴＩを判定することを含むことができる。
【００３４】
ＲＡ＿ＲＮＴＩ＝ｎ０＋ｔ＿ｉｄ＋ｋ１×ｕ＿ｉｄ；
【００３５】
式中、ｎ０およびｋ１は、定係数であり、ｔ＿ｉｄは、プリアンブル伝送の初期（すなわち、第１の）サブフレームシーケンス番号であり、Ｕ＿ｉｄは、プリアンブル伝送の初期（すなわち、第１の）無線フレームシーケンス番号である。
【００３６】
式中、例えば、ｎ０は、１であり、ｋ１は、１０である、またはｋ１＝１＋ＭＡＸ（ｔ＿ｉｄ）であり、ＭＡＸ（ｔ＿ｉｄ）ｉは、ｔ＿ｉｄ値範囲内の最大値を示し、ｔ＿ｉｄは、プリアンブル伝送の初期サブフレームシーケンス番号である。
【００３７】
好ましい実施形態では、ランダムアクセス情報はさらに、ランダムアクセス（ＲＡ）応答ウィンドウ長、プリアンブル伝送の間隔長を備えることができ、間隔長は、計算または事前構成を通して取得されることができる。
【００３８】
好ましい実施形態では、ステップ２０２は、通信ノードが、ＲＡ＿ＲＮＴＩ＝ｎ０＋ｔ＿ｉｄ＋ｋ１×ｖ＿ｉｄのようにＲＡ−ＲＮＴＩを判定することを含むことができ、
式中、ｎ０およびｋ１は、定係数であり、ｔ＿ｉｄは、プリアンブル伝送の初期サブフレームシーケンス番号であり、ｖ＿ｉｄは、以下の、プリアンブル伝送の初期無線フレームシーケンス番号、ＲＡ応答ウィンドウ長、プリアンブル伝送の間隔長であって、計算または事前構成を通して取得され得る、プリアンブル伝送の間隔長のうちの１つまたはそれらの組み合わせによる、包括的因数であり、式中、例えば、ｎ０は、１であり、ｋ１は、１０である、またはｋ１＝１＋ＭＡＸ（ｔ＿ｉｄ）であり、ＭＡＸ（ｔ＿ｉｄ）は、ｔ＿ｉｄ値範囲内の最大値を示し、ｔ＿ｉｄは、プリアンブル伝送の初期サブフレームシーケンス番号である。
【００３９】
好ましい実施形態では、
【００４０】
ｖ＿ｉｄ＝ｕ＿ｉｄ  ｍｏｄ  ＷＬｅｎまたは、
【００４１】
ｖ＿ｉｄ＝ｕ＿ｉｄ  ｍｏｄ（ＷＬｅｎ／１０）または、
【００４２】
ｖ＿ｉｄ＝（ｕ＿ｉｄ×１０）ｍｏｄ  ＷＬｅｎであり、
【００４３】
式中、ｕ＿ｉｄは、プリアンブル伝送の初期無線フレームシーケンス番号であり、ＷＬｅｎは、ＲＡ応答ウィンドウ長であり、単位は、サブフレームであり、ｍｏｄは、モジュロを示し、ＷＬｅｎは、ＷＬｅｎ’によって置換されることができ、ＷＬｅｎ’＝ＷＬｅｎ−２である。
【００４４】
好ましい実施形態では、
【００４５】
ｖ＿ｉｄ＝（（ｕ＿ｉｄ×１０）／ＰＲＡＣＨＷｉｎＬｅｎ）ｍｏｄ  ＷＬｅｎまたは、
【００４６】
ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ）または、
【００４７】
ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ＋１）であり、
【００４８】
式中、ｕ＿ｉｄは、プリアンブル伝送の初期無線フレームシーケンス番号であり、ＰＲＡＣＨＷｉｎＬｅｎは、プリアンブル伝送の間隔長であり、間隔長は、計算または事前構成を通して取得されることができ、ＷＬｅｎは、ＲＡ応答ウィンドウ長であり、単位は、サブフレームであり、ｍｏｄは、モジュロを示し、ＷＬｅｎは、ＷＬｅｎ’によって置換されることができ、ＷＬｅｎ’＝ＷＬｅｎ−２である。
【００４９】
好ましい実施形態では、
【００５０】
ｖ＿ｉｄ＝（（ｕ＿ｉｄ×１０）／ＰＲＡＣＨＷｉｎＬｅｎ）ｍｏｄ  ＷＬｅｎまたは、
【００５１】
ｖ＿ｉｄ＝（（ｕ＿ｉｄ×１０）／ＰＲＡＣＨＷｉｎＬｅｎ）ｍｏｄ  ｃｅｉｌ（ＷＬｅｎ／ＰＲＡＣＨＷｉｎＬｅｎ）または、
【００５２】
ｖ＿ｉｄ＝（（ｕ＿ｉｄ×１０）／ＰＲＡＣＨＷｉｎＬｅｎ）ｍｏｄ（ｆｌｏｏｒ（ＷＬｅｎ／ＰＲＡＣＨＷｉｎＬｅｎ）＋１）であり、
【００５３】
式中、ｕ＿ｉｄは、プリアンブル伝送の初期無線フレームシーケンス番号であり、ＰＲＡＣＨＷｉｎＬｅｎは、プリアンブル伝送の間隔長であり、間隔長は、計算または事前構成を通して取得されることができ、ＷＬｅｎは、ＲＡ応答ウィンドウ長であり、単位は、サブフレームであり、ｍｏｄは、モジュロを示し、ｃｅｉｌ（）は、上方丸め（すなわち、指定される式よりも大きい、またはそれに等しい最小整数に返されること）を示し、ｆｌｏｏｒ（）は、下方丸め（すなわち、指定された式よりも小さい、またはそれに等しい最大整数に返されること）を示し、ＷＬｅｎは、ＷＬｅｎ’によって置換されることができ、ＷＬｅｎ’＝ＷＬｅｎ−２である。
【００５４】
好ましい実施形態では、
【００５５】
ｖ＿ｉｄ＝（ｕ＿ｉｄ／ＰＲＡＣＨＷｉｎＬｅｎ）ｍｏｄ（ＷＬｅｎ／１０）または、
【００５６】
ｖ＿ｉｄ＝（ｕ＿ｉｄ／ＰＲＡＣＨＷｉｎＬｅｎ）ｍｏｄ（ＷＬｅｎ／（ＰＲＡＣＨＷｉｎＬｅｎ×１０））または、
【００５７】
ｖ＿ｉｄ＝（ｕ＿ｉｄ／ＰＲＡＣＨＷｉｎＬｅｎ）ｍｏｄ（（ＷＬｅｎ／（ＰＲＡＣＨＷｉｎＬｅｎ×１０））＋１）であり、
【００５８】
式中、ｕ＿ｉｄは、プリアンブル伝送の初期無線フレームシーケンス番号であり、ＰＲＡＣＨＷｉｎＬｅｎは、プリアンブル伝送の間隔長であり、間隔長は、計算または事前構成を通して取得されることができ、ＷＬｅｎは、ＲＡ応答ウィンドウ長であり、単位は、サブフレームであり、ｍｏｄは、モジュロを示し、ＷＬｅｎは、ＷＬｅｎ’によって置換されることができ、ＷＬｅｎ’＝ＷＬｅｎ−２である。
【００５９】
好ましい実施形態では、
【００６０】
ｖ＿ｉｄ＝（ｕ＿ｉｄ／ＰＲＡＣＨＷｉｎＬｅｎ）ｍｏｄ（ＷＬｅｎ／１０）または、
【００６１】
ｖ＿ｉｄ＝（ｕ＿ｉｄ／ＰＲＡＣＨＷｉｎＬｅｎ）ｍｏｄ  ｃｅｉｌ（ＷＬｅｎ／（ＰＲＡＣＨＷｉｎＬｅｎ×１０））または、
【００６２】
ｖ＿ｉｄ＝（ｕ＿ｉｄ／ＰＲＡＣＨＷｉｎＬｅｎ）ｍｏｄ（ｆｌｏｏｒ（ＷＬｅｎ／（ＰＲＡＣＨＷｉｎＬｅｎ×１０））＋１）であり、
【００６３】
式中、ｕ＿ｉｄは、プリアンブル伝送の初期無線フレームシーケンス番号であり、ＰＲＡＣＨＷｉｎＬｅｎは、プリアンブル伝送の間隔長であり、間隔長は、計算または事前構成を通して取得されることができ、ＷＬｅｎは、ＲＡ応答ウィンドウ長であり、単位は、サブフレームであり、ｍｏｄは、モジュロを示し、ｃｅｉｌ（）は、上方丸めを示し、ｆｌｏｏｒ（）は、下方丸めを示し、ＷＬｅｎは、ＷＬｅｎ’によって置換されることができ、ＷＬｅｎ’＝ＷＬｅｎ−２である。
【００６４】
好ましい実施形態では、ステップ２０２はさらに、通信ノードが、以下のようにＲＡ−ＲＮＴＩを判定することを含むことができ、
【００６５】
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ  ＷＬｅｎ）または、
【００６６】
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ））または、
【００６７】
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ＋１））であり、
【００６８】
式中、ｔ＿ｉｄは、プリアンブル伝送の初期サブフレームシーケンス番号であり、ｕ＿ｉｄは、プリアンブル伝送の初期無線フレームシーケンス番号であり、ＰＲＡＣＨＷｉｎＬｅｎは、プリアンブル伝送の間隔長であり、間隔長は、計算または事前構成を通して取得されることができ、単位は、サブフレームであり、ＷＬｅｎは、ＲＡ応答ウィンドウ長であり、ｍｏｄは、モジュロを示し、ｎ０は、係数であり、例えば、ｎ０は、１であり、ＷＬｅｎは、ＷＬｅｎ’によって置換されることができ、ＷＬｅｎ’＝ＷＬｅｎ−２である。
【００６９】
好ましい実施形態では、ＰＲＡＣＨＷｉｎＬｅｎは、同一のサブフレーム内のプリアンブル伝送の間隔長、つまり、フレームを単位として、またはサブフレームを単位として使用する、異なる無線フレーム内の近傍の（最も近接する）２つのサブフレームの同一のサブフレーム内のプリアンブル伝送間の間隔長を示す。
【００７０】
好ましい実施形態では、ＰＲＡＣＨＷｉｎＬｅｎは、同一のサブフレーム内のプリアンブル伝送の間隔長を示し、間隔長は、以下の計算を使用して取得されることができる。
【００７１】
ＰＲＡＣＨＷｉｎＬｅｎ＝ＣＯＭＰＲＡＣＨ／ＮＰＲＡＣＨ＿ＰｅｒＦｒａｍｅ
【００７２】
式中、ＣＯＭＰＲＡＣＨは、ＰｐｒｅａｍｂｌｅおよびＮＰＲＡＣＨ＿ＰｅｒＦｒａｍｅの最小公倍数であり、
【００７３】
ＮＰＲＡＣＨ＿ＰｅｒＦｒａｍｅは、全無線フレーム内で構成されるＰＲＡＣＨリソースの数を示し、Ｐｐｒｅａｍｂｌｅは、プリアンブルの反復因数を示す。
【００７４】
好ましい実施形態では、ＰＲＡＣＨＷｉｎＬｅｎ＝１０×Ｐｐｒｅａｍｂｌｅ／ＮＰＲＡＣＨ＿ＰｅｒＦｒａｍｅである。
【００７５】
式中、ＰＲＡＣＨＷｉｎＬｅｎは、プリアンブル伝送の間隔長を示し、ＮＰＲＡＣＨ＿ＰｅｒＦｒａｍｅは、全無線フレーム内で構成されるＰＲＡＣＨリソースの数を示し、Ｐｐｒｅａｍｂｌｅは、プリアンブルの反復因数を示す。
【００７６】
好ましい実施形態では、ＰＲＡＣＨＷｉｎＬｅｎは、プリアンブル伝送の間隔長を示し、以下の、ＰＲＡＣＨリソース初期無線サブフレームシーケンス番号、全無線フレーム内で構成されるＰＲＡＣＨリソースの数、プリアンブル伝送のために使用され得る全無線フレーム内で構成されるサブフレームのシーケンス番号、プリアンブルフォーマット、プリアンブルの反復因数のうちの１つまたはそれらの組み合わせに従って判定される。
【００７７】
好ましい実施形態では、ＰＲＡＣＨＷｉｎＬｅｎは、プリアンブル伝送の事前構成された間隔長を示し、単位は、以下の、フレーム、サブフレーム、プリアンブル伝送の最大数のうちの１つであり得る。
【００７８】
好ましい実施形態では、プリアンブル伝送のために現在利用可能な無線フレームのシーケンス番号が、ＭＡＸＦｒａｍｅＩｎｄｅｘ−ＰＲＡＣＨＷｉｎＬｅｎを上回る、またはそれに等しい場合、フレームは、スキップされ、プリアンブルを伝送し得る無線フレームは、０のシーケンス番号を伴う無線フレームから開始して再検出され、式中、ＭＡＸＦｒａｍｅＩｎｄｅｘは、無線フレームシーケンス番号に関する最大値である。
【００７９】
好ましい実施形態では、ステップ２０２の後、本実施形態によって提供されるランダムアクセス方法はさらに、判定されたＲＡ−ＲＮＴＩが事前判定された値範囲内の最大値を超えると、通信ノードが、ＲＡ−ＲＮＴＩが事前判定された値であることを判定することを含むことができる。
【００８０】
好ましい実施形態では、ステップ２０２は、以下のタイプのランダムアクセス情報、すなわち、ＲＡ応答ウィンドウ長、プリアンブルの反復因数、プリアンブル伝送の間隔長のうちの１つまたはそれらの組み合わせが、カバレッジランキングに対応するとき、ＲＡ−ＲＮＴＩ計算もまた、そのようなカバレッジランキングに対応することを含むことができる。
【００８１】
関連研究は、異なるカバレッジランキングにおける端末が、異なる検索空間内のＰＤＣＣＨを検索し得る、つまり、２つの端末が同一のＲＡ−ＲＮＴＩを有し、応答ウィンドウが重複する場合であっても、復調される必要があるＰＤＣＣＨは異なり、端末は異なるカバレッジランキングに属するため、付加的干渉が引き起こされないであろうことをすでに明白にしていることに留意されたい。設計公式を簡略化するために、本願は、ＲＡ−ＲＮＴＩ公式を最適化するとき、可変カバレッジランキングの影響を考慮しない。
【００８２】
加えて、ＭＴＣおよびＮＢ−ＩｏＴ通信シナリオに関して、さらに多くの狭帯域リソースが、導入され、異なる端末が、異なる狭帯域位置においてプリアンブルを伝送し、ならびに対応する位置においてＲＡＲを受信することができる。設計公式を簡略化するために、本願は、ＲＡ−ＲＮＴＩ公式を最適化するとき、可変狭帯域リソースの影響を考慮しない。
【００８３】
加えて、本開示の実施形態はさらに、通信ノードが、ランダムアクセス情報を取得することであって、ランダムアクセス情報は、プリアンブル伝送の時間領域位置インデックス情報、プリアンブル伝送の周波数領域位置インデックス情報を備える、ことと、通信ノードが、ランダムアクセス情報に従ってＲＡ−ＲＮＴＩを判定することとを含む、ランダムアクセスのための方法を提供し、無線フレームまたはサブフレームの数が不十分であるとき、周波数領域情報は、ＲＡ−ＲＮＴＩ計算に追加されることができる。
【００８４】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【００８５】
ＲＡ＿ＲＮＴＩ＝ｎ０＋ｔ＿ｉｄ＋ｋ１×ｖ＿ｉｄ＋ＷＬｅｎ×ｗ＿ｉｄ
【００８６】
式中、ｎ０およびｋ１は、係数であり、ｔ＿ｉｄは、プリアンブル伝送の初期サブフレームシーケンス番号であり、ｗ＿ｉｄは、プリアンブル伝送の周波数領域位置インデックスであり、ＷＬｅｎは、ＲＡ応答ウィンドウの長さであり、ｖ＿ｉｄは、以下の、プリアンブル伝送の無線フレームシーケンス番号、ＰＲＡＣＨリソース初期無線サブフレームシーケンス番号、ＲＡ応答ウィンドウ長、プリアンブル伝送の間隔長であって、計算または事前構成を通して取得され得る、間隔長のうちの１つまたはそれらの組み合わせによって判定される、包括的因数であり、例えば、ｎ０は、１であり、ｋ１は、１０である、またはｋ１＝１＋ＭＡＸ（ｔ＿ｉｄ）であり、ＭＡＸ（ｔ＿ｉｄ）は、ｔ＿ｉｄ値範囲内の最大値を示し、ｔ＿ｉｄは、プリアンブル伝送の初期サブフレームシーケンス番号である。
【００８７】
好ましい実施形態では、
【００８８】
ｖ＿ｉｄ＝（ｕ＿ｉｄ／ＰＲＡＣＨＷｉｎＬｅｎ）ｍｏｄ（ＷＬｅｎ／１０）または、
【００８９】
ｖ＿ｉｄ＝（ｕ＿ｉｄ／ＰＲＡＣＨＷｉｎＬｅｎ）ｍｏｄ  ｃｅｉｌ（ＷＬｅｎ／（ＰＲＡＣＨＷｉｎＬｅｎ×１０））または、
【００９０】
ｖ＿ｉｄ＝（ｕ＿ｉｄ／ＰＲＡＣＨＷｉｎＬｅｎ）ｍｏｄ（ｆｌｏｏｒ（ＷＬｅｎ／（ＰＲＡＣＨＷｉｎＬｅｎ×１０））＋１）であり、
【００９１】
式中、ｕ＿ｉｄは、プリアンブル伝送の初期無線フレームシーケンス番号であり、ＰＲＡＣＨＷｉｎＬｅｎは、プリアンブル伝送の間隔長であり、間隔長は、計算または事前構成を通して取得されることができ、ＷＬｅｎは、ＲＡ応答ウィンドウ長であり、単位は、サブフレームであり、ｍｏｄは、モジュロを示し、ｃｅｉｌ（）は、上方丸めを示し、ｆｌｏｏｒ（）は、下方丸めを示す。
【００９２】
好ましい実施形態では、ＰＲＡＣＨＷｉｎＬｅｎは、同一のサブフレーム内のプリアンブル伝送の間隔長、つまり、フレームを単位として、またはサブフレームを単位として使用する、異なる無線フレーム内の２つの近傍の（最も近接する）サブフレームの同一のサブフレーム内のプリアンブル伝送間の間隔長を示す。
【００９３】
好ましい実施形態では、ＰＲＡＣＨＷｉｎＬｅｎは、同一のサブフレーム内のプリアンブル伝送の間隔長を示し、間隔長は、以下の計算を使用して取得されることができる。
【００９４】
ＰＲＡＣＨＷｉｎＬｅｎ＝ＣＯＭＰＲＡＣＨ／ＮＰＲＡＣＨ＿ＰｅｒＦｒａｍｅ
【００９５】
式中、ＣＯＭＰＲＡＣＨは、ＰｐｒｅａｍｂｌｅおよびＮＰＲＡＣＨ＿ＰｅｒＦｒａｍｅの最小公分母であり、
【００９６】
ＮＰＲＡＣＨ＿ＰｅｒＦｒａｍｅは、全無線フレーム内で構成されるＰＲＡＣＨリソースの数を示し、Ｐｐｒｅａｍｂｌｅは、プリアンブルの反復因数を示す。
【００９７】
好ましい実施形態では、ＷＬｅｎは、ＷＬｅｎ’によって置換されることができ、
【００９８】
ＷＬｅｎ’＝ｎ０＋ＭＡＸ（ｔ＿ｉｄ）＋ｋ１×ＭＡＸ（ｕ＿ｉｄ）であり、
【００９９】
式中、ＭＡＸ（ｔ＿ｉｄ）は、ｔ＿ｉｄ値範囲内の最大値を示し、ＭＡＸ（ｕ＿ｉｄ）は、ｕ＿ｉｄ値範囲内の最大値を示し、ｕ＿ｉｄは、プリアンブル伝送の初期無線フレームシーケンス番号であり、ｔ＿ｉｄは、プリアンブル伝送の初期サブフレームシーケンス番号であり、例えば、ｎ０は、１であり、ｋ１は、１０である、またはｋ１＝１＋ＭＡＸ（ｔ＿ｉｄ）であり、ＭＡＸ（ｔ＿ｉｄ）は、ｔ＿ｉｄ値範囲内の最大値を示し、ｔ＿ｉｄは、プリアンブル伝送の初期サブフレームシーケンス番号である。
【０１００】
好ましい実施形態では、通信ノードがランダムアクセス情報に従ってＲＡ−ＲＮＴＩを判定した後、本実施形態のランダムアクセスのための方法はさらに、判定されたＲＡ−ＲＮＴＩが事前判定された値範囲内の最大値を超えると、通信ノードが、ＲＡ−ＲＮＴＩが事前判定された値であることを判定することを含むことができる。
【０１０１】
好ましい実施形態では、通信ノードが、ランダムアクセス情報に従ってＲＡ−ＲＮＴＩを判定することは、
【０１０２】
以下のタイプのランダムアクセス情報、すなわち、ＲＡ応答ウィンドウ長、プリアンブルの反復因数、プリアンブル伝送の間隔長のうちの１つまたはそれらの組み合わせが、カバレッジレベルに対応するとき、ＲＡ−ＲＮＴＩ計算もまた、そのようなカバレッジランキングに対応することを含むことができる。
【０１０３】
加えて、本開示の実施形態はさらに、通信ノードが、ランダムアクセス情報を取得することであって、ランダムアクセス情報は、プリアンブル伝送の端末時間領域位置インデックス情報、プリアンブル伝送の端末周波数領域位置インデックス情報を備える、ことと、通信ノードが、ランダムアクセス情報に従ってＲＡ−ＲＮＴＩを判定することとを含む、ランダムアクセスのための方法を提供する。
【０１０４】
好ましい実施形態では、ランダムアクセス情報はさらに、以下の、ＲＡ応答ウィンドウ長、プリアンブル伝送の間隔長であって、計算または事前構成を通して取得され得る、間隔長のうちの１つまたはそれらの組み合わせを備えることができる。
【０１０５】
好ましい実施形態では、通信ノードが、ランダムアクセス情報に従ってＲＡ−ＲＮＴＩを判定することは、通信ノードが、以下のようにＲＡ−ＲＮＴＩを判定することを含むことができる。
【０１０６】
ＲＡ＿ＲＮＴＩ＝ｎ０＋ｓ＿ｉｄ＋ｗ＿ｉｄ×ＰＲＡＣＨＷｉｎＬｅｎ
【０１０７】
式中、ｎ０は、係数であり、ｓ＿ｉｄは、端末プリアンブル伝送の時間領域位置インデックスであり、ｗ＿ｉｄは、端末プリアンブル伝送の周波数領域位置インデックスであり、ＰＲＡＣＨＷｉｎＬｅｎは、プリアンブル伝送の間隔長であり、間隔長は、計算または事前構成を通して取得されることができ、例えば、ｎ０は、１である。
【０１０８】
好ましい実施形態では、ＰＲＡＣＨＷｉｎＬｅｎは、同一のサブフレーム内のプリアンブル伝送の間隔長、つまり、フレームを単位として、またはサブフレームを単位として使用する、異なる無線フレーム内の２つの近傍の（最も近接する）サブフレームの同一のサブフレーム内のプリアンブル伝送間の間隔長を示す。
【０１０９】
好ましい実施形態では、ＰＲＡＣＨＷｉｎＬｅｎは、同一のサブフレーム内のプリアンブル伝送の間隔長を示し、間隔長は、以下の計算を使用して取得されることができる。
【０１１０】
ＰＲＡＣＨＷｉｎＬｅｎ＝ＣＯＭＰＲＡＣＨ／ＮＰＲＡＣＨ＿ＰｅｒＦｒａｍｅ
【０１１１】
式中、ＣＯＭＰＲＡＣＨは、ＰｐｒｅａｍｂｌｅおよびＮＰＲＡＣＨ＿ＰｅｒＦｒａｍｅの最小公分母であり、
【０１１２】
ＮＰＲＡＣＨ＿ＰｅｒＦｒａｍｅは、全無線フレーム内で構成されるＰＲＡＣＨリソースの数を示し、Ｐｐｒｅａｍｂｌｅは、プリアンブルの反復因数を示す。
【０１１３】
好ましい実施形態では、ＰＲＡＣＨＷｉｎＬｅｎ＝１０×Ｐｐｒｅａｍｂｌｅ／ＮＰＲＡＣＨ＿ＰｅｒＦｒａｍｅである。
【０１１４】
式中、ＰＲＡＣＨＷｉｎＬｅｎは、プリアンブル伝送の間隔長を示し、ＮＰＲＡＣＨ＿ＰｅｒＦｒａｍｅは、全無線フレーム内で構成されるＰＲＡＣＨリソースの数を示し、Ｐｐｒｅａｍｂｌｅは、プリアンブルの反復因数を示す。
【０１１５】
好ましい実施形態では、ＰＲＡＣＨＷｉｎＬｅｎは、プリアンブル伝送の間隔長を示し、以下の、ＰＲＡＣＨリソース初期無線サブフレームシーケンス番号、全無線フレーム内で構成されるＰＲＡＣＨリソースの数、プリアンブル伝送のために使用され得る全無線フレーム内で構成されるサブフレームシーケンス番号、プリアンブルフォーマット、およびプリアンブルの反復因数のうちの１つまたはそれらの組み合わせに従って判定されることができる。
【０１１６】
好ましい実施形態では、ＰＲＡＣＨＷｉｎＬｅｎは、プリアンブル伝送の事前構成された間隔長を示し、単位は、以下の、フレーム、サブフレーム、プリアンブル伝送の最大数のうちの１つであり得る。
【０１１７】
好ましい実施形態では、通信ノードが、ランダムアクセス情報に従ってＲＡ−ＲＮＴＩを判定することは、通信ノードが、以下のようにＲＡ−ＲＮＴＩを判定することを含むことができる。
【０１１８】
ＲＡ＿ＲＮＴＩ＝ｎ０＋ｗ＿ｉｄ＋ｓ＿ｉｄ×ＰＲＡＣＨＦｒｅＬｅｎ
【０１１９】
式中、ｎ０は、係数であり、ｓ＿ｉｄは、プリアンブル伝送の時間領域位置インデックスであり、ｗ＿ｉｄは、プリアンブル伝送の周波数領域位置インデックスであり、ＰＲＡＣＨＦｒｅＬｅｎは、プリアンブル伝送の周波数領域間隔長または周波数領域複信において伝送され得るプリアンブルの最大数であり、例えば、ｎ０は、１であり、周波数領域複信において伝送され得るプリアンブルの最大数は、例えば、端末の最大数またはプリアンブルの最大数であり得る。
【０１２０】
好ましい実施形態では、ＰＲＡＣＨＦｒｅＬｅｎは、プリアンブル伝送の周波数領域間隔長を示し、以下の物理ランダムアクセスチャネル上でプリアンブルを伝送するために使用される周波数リソース構成情報、および周波数ホッピングモードのうちの１つまたはそれらの組み合わせに従って判定されることができる。
【０１２１】
好ましい実施形態では、時間領域位置インデックス情報は、以下の、プリアンブル伝送のサブフレームシーケンス番号、プリアンブル伝送の無線フレームシーケンス番号のいずれかを備えることができる。
【０１２２】
好ましい実施形態では、周波数領域位置インデックス情報は、以下の、プリアンブル伝送の初期周波数領域位置インデックス、プリアンブル伝送の周波数領域位置オフセット、プリアンブル伝送の周波数領域副搬送波インデックスのいずれかを備えることができる。
【０１２３】
好ましい実施形態では、通信ノードがランダムアクセス情報に従ってＲＡ−ＲＮＴＩを判定した後、本実施形態のランダムアクセスのための方法はさらに、ＲＡ−ＲＮＴＩが事前判定された値範囲内の最大値を超えると判定されると、通信ノードが、ＲＡ−ＲＮＴＩが事前判定された値であることを判定することを含むことができる。
【０１２４】
好ましい実施形態では、通信ノードが、ランダムアクセス情報に従ってＲＡ−ＲＮＴＩを判定することは、以下のタイプのランダムアクセス情報、すなわち、ＲＡ応答ウィンドウ長、プリアンブルの反復因数、プリアンブル伝送の間隔長のうちの１つまたはそれらの組み合わせが、カバレッジランキングに対応するとき、ＲＡ−ＲＮＴＩ計算もまた、そのようなカバレッジランキングに対応することを含むことができる。
【０１２５】
加えて、本発明の実施形態はさらに、通信ノードが、ランダムアクセス情報相関因数を取得することと、通信ノードが、ランダムアクセス情報相関因数に従ってＲＡ−ＲＮＴＩを判定することとを含む、ランダムアクセスのための方法を提供する。
【０１２６】
好ましい実施形態では、通信ノードが、ランダムアクセス情報相関因数に従ってＲＡ−ＲＮＴＩを判定することは、通信ノードが、以下のようにＲＡ−ＲＮＴＩを判定することを含むことができる。
【０１２７】
【数１】
2019508932.tif 000003
【０１２８】
式中、ｎ０は、係数であり、Ｎは、ランダムアクセス相関因数の数であり、ｃｉは、ランダムアクセス情報相関因数であり、
【数２】
2019508932.tif 000004
、ＭＡＸ（ｃｉ−１）は、ｃｉ−１の最大値を示し、例えば、ｎ０は、１である。
【０１２９】
好ましい実施形態では、ランダムアクセス情報相関因数は、以下の、プリアンブル伝送の初期サブフレームシーケンス番号、プリアンブル伝送の初期無線フレームシーケンス番号、全無線フレーム内で構成されるＰＲＡＣＨリソースの数、プリアンブルの反復因数、プリアンブル伝送の最終サブフレームのシーケンス番号、プリアンブル伝送の最終無線フレームのシーケンス番号、プリアンブル伝送の周波数領域位置オフセット、プリアンブル伝送の周波数領域副搬送波インデックス、およびＲＡ応答ウィンドウ長のいずれかまたはそれらの組み合わせを備えることができる。
【０１３０】
好ましい実施形態では、通信ノードがランダムアクセス情報相関因数に従ってＲＡ−ＲＮＴＩを判定した後、本実施形態のランダムアクセスのための方法はさらに、判定されたＲＡ−ＲＮＴＩが事前判定された値範囲内の最大値を超えると、通信ノードが、ＲＡ−ＲＮＴＩが事前判定された値であることを判定することを含むことができる。
【０１３１】
好ましい実施形態では、通信ノードが、ランダムアクセス情報相関因数に従ってＲＡ−ＲＮＴＩを判定することは、
【０１３２】
以下のタイプのランダムアクセス情報、すなわち、ＲＡ応答ウィンドウ長、プリアンブルの反復因数、プリアンブル伝送の間隔長のうちの１つまたはそれらの組み合わせが、カバレッジランキングに対応するとき、ＲＡ−ＲＮＴＩ計算もまた、そのようなカバレッジランキングに対応することを含むことができる。
【０１３３】
以下では、本開示によって提供されるＲＡ−ＲＮＴＩの計算方法が、いくつかの実施形態を用いて例示される。
【０１３４】
実施形態１
本実施形態では、ＲＡ＿ＲＮＴＩ＝１＋ｔ＿ｉｄ＋１０×ｕ＿ｉｄである。
【０１３５】
式中、ｔ＿ｉｄは、端末プリアンブル伝送の第１のサブフレームシーケンス番号であり、ｕ＿ｉｄは、端末プリアンブル伝送の第１の無線フレームシーケンス番号である。
【０１３６】
式中、ｕ＿ｉｄの値範囲は、［０，１０２３］であり、ｔ＿ｉｄの値範囲は、［１，１０）であり、したがって、本実施形態のＲＡ−ＲＮＴＩ計算式に基づいて、ＲＡ−ＲＮＴＩに関する値範囲は、［１，１０２４０］である。
【０１３７】
実施形態２
本実施形態では、ＲＡ＿ＲＮＴＩ＝１＋ｔ＿ｉｄ＋１０×ｖ＿ｉｄである。
【０１３８】
式中、ｔ＿ｉｄは、端末プリアンブル伝送の第１のサブフレームシーケンス番号であり、ｖ＿ｉｄは、端末プリアンブル伝送の第１の無線フレームのシーケンス番号、現在のカバレッジランキングのＲＡ応答ウィンドウ長、および端末プリアンブル伝送の（無線サブフレームを単位として使用する）間隔長を考慮する包括的因数である。
【０１３９】
好ましい実施形態では、ｖ＿ｉｄ＝（（ｕ＿ｉｄ×１０）／ＰＲＡＣＨＷｉｎＬｅｎ）ｍｏｄ  ＷＬｅｎであり、式中、ｕ＿ｉｄは、端末プリアンブル伝送の第１の無線フレームシーケンス番号である。ＰＲＡＣＨＷｉｎＬｅｎは、ＰＲＡＣＨリソース構成および現在のカバレッジランキングにおけるプリアンブルの反復因数（以降では、反復因数と称される）に基づいて計算される、プリアンブル伝送間隔長である。ここでは、端末は、基地局の全無線フレーム内で構成されるプリアンブルを伝送するために使用され得る、サブフレームのシーケンス番号および反復因数に基づいて、ＰＲＡＣＨＷｉｎＬｅｎを計算することができる。ＷＬｅｎは、（無線サブフレームを単位として使用する）現在のカバレッジランキングのＲＡ応答ウィンドウ長である。
【０１４０】
本実施形態の計算式に基づいて、ＲＡ−ＲＮＴＩ値の範囲は、［１，１０×ＷＬｅｎ］である。実施例として最大のＷＬｅｎ＝４００サブフレームを用いると、ＲＡ−ＲＮＴＩ値範囲は、［１，４０００］である。
【０１４１】
実施形態３
本実施形態では、ＲＡ＿ＲＮＴＩ＝１＋ｔ＿ｉｄ＋１０×ｖ＿ｉｄである。
【０１４２】
式中、ｔ＿ｉｄは、端末プリアンブル伝送の第１のサブフレームシーケンス番号であり、ｖ＿ｉｄは、端末プリアンブル伝送の第１の無線フレームのシーケンス番号、現在の端末カバレッジランキングのＲＡウィンドウ長、および（無線サブフレームを単位として使用する）端末プリアンブル伝送の間隔長を考慮する包括的因数である。好ましい実施形態では、ｖ＿ｉｄ＝（（ｕ＿ｉｄ×１０）／ＰＲＡＣＨＷｉｎＬｅｎ）ｍｏｄ  ＷＬｅｎであり、式中、ｕ＿ｉｄは、端末プリアンブル伝送の第１の無線フレームのシーケンス番号である。ＰＲＡＣＨＷｉｎＬｅｎは、ＰＲＡＣＨリソース構成および現在のカバレッジランキングのプリアンブルの反復因数に基づいて計算される、プリアンブル伝送の間隔長であり、ＰＲＡＣＨＷｉｎＬｅｎは、以下の公式に従って単純に推論されることができる。
【０１４３】
ＰＲＡＣＨＷｉｎＬｅｎ＝１０×Ｐｐｒｅａｍｂｌｅ／ＮＰＲＡＣＨ＿ＰｅｒＦｒａｍｅであり、式中、Ｐｐｒｅａｍｂｌｅは、端末の現在のカバレッジランキング下のプリアンブルの反復因数を示し、ここでは、ＮＰＲＡＣＨ＿ＰｅｒＦｒａｍｅは、基地局の全無線フレーム内で構成されるＰＲＡＣＨリソースの数を示し、ＷＬｅｎは、現在のカバレッジランキングの（無線サブフレームを単位として使用する）ＲＡ応答ウィンドウ長である。
【０１４４】
本実施形態の計算式に基づいて、ＲＡ−ＲＮＴＩ値の範囲は、［１，１０×ＷＬｅｎ］である。実施例として最大のＷＬｅｎ＝４００サブフレームを用いると、ＲＡ−ＲＮＴＩ値範囲は、［１，４０００］である。
【０１４５】
実施形態４
本実施形態では、ＲＡ＿ＲＮＴＩ＝１＋（（（ｔ＿ｉｄ＋ｕ＿ｉｄ×１０）／ＰＲＡＣＨＷｉｎＬｅｎ）ｍｏｄ  ＷＬｅｎ）である。
【０１４６】
式中、ｔ＿ｉｄは、端末プリアンブル伝送の初期サブフレームシーケンス番号であり、ｕ＿ｉｄは、端末プリアンブル伝送の初期無線フレームシーケンス番号であり、ＰＲＡＣＨＷｉｎＬｅｎは、ＰＲＡＣＨリソース構成情報および端末の現在のカバレッジランキング下のプリアンブルの反復因数に従って判定される、端末プリアンブル伝送の間隔長であり、ＷＬｅｎは、端末の現在のカバレッジランキング下のＲＡ応答ウィンドウ長であり、ｍｏｄは、モジュロを示す。式中、上記のパラメータの値に関して、実施形態２または実施形態３を参照することができ、これは、ここでは繰り返されないであろう。
【０１４７】
実施形態５
同一のカバレッジランキングに関して、ユーザ毎のＰＲＡＣＨ反復因数は、同じであり、したがって、ＰＲＡＣＨＷｉｎＬｅｎもまた、同一であるはずである。このように、利用可能なＰＲＡＣＨリソースは、ＰＲＡＣＨＷｉｎＬｅｎに従ってグループ化されることができ、利用可能なＰＲＡＣＨリソースの各グループは、１人のユーザによってのみ占有されることができる。したがって、ＲＡ応答ウィンドウはさらに、ＰＲＡＣＨＷｉｎＬｅｎに従って、いくつかのＰＲＡＣＨリソースグループに分類されることができ、ＲＡ応答ウィンドウ内の重複に関するユーザの最大数は、使用可能なＰＲＡＣＨリソースの数プラス１に等しく（ベースユーザおよび他のユーザが、プリアンブルを伝送し、そのユーザのＲＡ応答ウィンドウ内でＲＡ応答ウィンドウを開始することが可能である）、これらのユーザの実際のフレーム数は、ＲＡ応答ウィンドウ重複を生成することが可能な連続的フレーム数のセットにマッピングされ得ると仮定されることができる。
【０１４８】
本実施形態では、ＲＡ＿ＲＮＴＩ＝１＋ｔ＿ｉｄ＋１０×ｖ＿ｉｄであり、式中、ｔ＿ｉｄは、端末プリアンブル伝送の第１のサブフレームシーケンス番号であり、ｖ＿ｉｄは、端末プリアンブル伝送の第１の無線フレームのシーケンス番号、端末の現在のカバレッジランキングのＲＡ応答ウィンドウ長、および（無線サブフレームを単位として使用する）端末プリアンブル伝送の間隔長を考慮する包括的因数である。
【０１４９】
本実施形態では、ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ＋１）であり、式中、ｕ＿ｉｄは、端末プリアンブル伝送の第１の無線フレームのシーケンス番号であり、ＰＲＡＣＨＷｉｎＬｅｎは、プリアンブル伝送の間隔長を示し、計算方法は、実施形態２または実施形態３と同一であり、ここでは繰り返されず、ＷＬｅｎは、（サブフレームを単位として使用する）現在のカバレッジランキング下のＲＡ応答ウィンドウ長である。
【０１５０】
本実施形態の計算式に基づいて、ＲＡ−ＲＮＴＩ値の範囲は、［１，１０×（ＷＬｅｎ／ＰＲＡＣＨＷｉｎＬｅｎ＋１）］である。
【０１５１】
実施例として最大のＷＬｅｎ＝４００サブフレームをとると、８つの反復因数が存在し、全無線フレームは、ＰＲＡＣＨリソースとして構成される２つの無線サブフレームを有し、ＲＡ−ＲＮＴＩ値範囲は、［１，１１０］である。
【０１５２】
典型的には、基地局は、反復因数、より大きい反復因数、より長いＲＡ応答ウィンドウに従ってＲＡ応答ウィンドウサイズを合理的に構成するであろう。したがって、妥当な構成下では、ＲＡ−ＲＮＴＩ値範囲は、さらに縮小されることができる。
【０１５３】
加えて、実際の実装では、ＷＬｅｎおよびＰＲＡＣＨＷｉｎＬｅｎの比率が整数ではない場合、これは、丸められ、次いで、公式に従って計算される必要がある。丸め方法は、例えば、下方丸めである。しかしながら、本実施形態は、それに限定されない。
【０１５４】
加えて、完全には重複していない２つの近傍のユーザのＲＡ応答ウィンドウを考慮すると、それらは、それぞれの前後の少なくとも１つのサブフレームによって分離され、したがって、本実施形態によって提供される上記の公式のＷＬｅｎは、ＷＬｅｎ’と置換されることができ、ＷＬｅｎ’＝ＷＬｅｎ−２である。
【０１５５】
実施形態５は、以下の実施例によって例示される。
実施例１
２つの反復因数が存在し、全無線フレームがＰＲＡＣＨリソースとして構成される２つのサブフレームを有し、ＲＡ応答ウィンドウ長が２０であると仮定すると、図３に示されるようにＲＡ＿ＲＮＴＩのユーザシナリオを区別することが、必要である。グリッドマーキングを伴うサブフレームは、プリアンブル伝送位置であり、スラッシュマーキングを伴うサブフレームは、ＲＡ応答ウィンドウ位置である。
【０１５６】
本実施例では、実施形態５の計算式から、以下を把握する。
【０１５７】
ＰＲＡＣＨＷｉｎＬｅｎ＝１０×ｒｅｐｅａｔ  ｆａｃｔｏｒ／ＮＰＲＡＣＨ＿ＰｅｒＦｒａｍｅ＝１０×２／２＝１０
【０１５８】
ＵＥ１のＲＡ＿ＲＮＴＩ＝１＋０＋１０×（（５１２×１０／１０）ｍｏｄ（
【化１】
2019508932.tif 000005
＋１））＝１＋０＋１０×（５１２  ｍｏｄ  ２）＝１＋０＝１
【０１５９】
ＵＥ２のＲＡ＿ＲＮＴＩ＝１＋０＋１０×（（５１３×１０／１０）ｍｏｄ（
【化１】
2019508932.tif 000006
＋１））＝１＋０＋１０×（５１３  ｍｏｄ  ２）＝１＋１０＝１１
【０１６０】
ＵＥ３のＲＡ＿ＲＮＴＩ＝１＋０＋１０×（（５１４×１０／１０）ｍｏｄ（
【化１】
2019508932.tif 000007
＋１））＝１＋０＋１０×（５１４  ｍｏｄ  ２）＝１＋０＝１
【０１６１】
ＵＥ４のＲＡ＿ＲＮＴＩ＝１＋０＋１０×（（５１５×１０／１０）ｍｏｄ（
【化１】
2019508932.tif 000008
＋１））＝１＋０＋１０×（５１５  ｍｏｄ  ２）＝１＋１０＝１１
【０１６２】
式中、
【化２】
2019508932.tif 000009
は、下方丸めを示す。
【０１６３】
ＵＥ１およびＵＥ３のＲＡ−ＲＮＴＩが同じであり、ＵＥ２およびＵＥ４のＲＡ−ＲＮＴＩが同じであるが、これは、その応答ウィンドウが重複しないため、許容可能である。
【０１６４】
実施例２
２つの反復因数が存在し、全無線フレームがＰＲＡＣＨリソースとして構成される１０個のサブフレームを有し、ＲＡ応答ウィンドウ長が２０であると仮定すると、図４に示されるようにＲＡ＿ＲＮＴＩのユーザシナリオを区別することが、必要である。グリッドマーキングを伴うサブフレームは、プリアンブル伝送位置であり、スラッシュマーキングを伴うサブフレームは、ＲＡ応答ウィンドウ位置である。
【０１６５】
本実施例では、実施形態５の計算式から、以下を把握する。
【０１６６】
ＰＲＡＣＨＷｉｎＬｅｎ＝１０×反復因数／ＮＰＲＡＣＨ＿ＰｅｒＦｒａｍｅ＝１０×２／１０＝２
【０１６７】
ＵＥ１のＲＡ＿ＲＮＴＩ＝１＋０＋１０×（（５１２×１０／２）ｍｏｄ（（２０−２）／２＋１））＝１＋０＋１０×（２５６０  ｍｏｄ  １０）＝１＋０＝１
【０１６８】
ＵＥ２のＲＡ＿ＲＮＴＩ＝１＋２＋１０×（（５１２×１０／２）ｍｏｄ（（２０−２）／２＋１））＝１＋２＋１０×（２５６０  ｍｏｄ  １０）＝３＋０＝３
【０１６９】
ＵＥ３のＲＡ＿ＲＮＴＩ＝１＋４＋１０×（（５１２×１０／２）ｍｏｄ（（２０−２）／２＋１））＝１＋４＋１０×（２５６０  ｍｏｄ  １０）＝５＋０＝５
【０１７０】
ＵＥ４のＲＡ＿ＲＮＴＩ＝１＋６＋１０×（（５１２×１０／２）ｍｏｄ（（２０−２）／２＋１））＝１＋６＋１０×（２５６０  ｍｏｄ  １０）＝７＋０＝７
【０１７１】
ＵＥ５のＲＡ＿ＲＮＴＩ＝１＋８＋１０×（（５１２×１０／２）ｍｏｄ（（２０−２）／２＋１））＝１＋８＋１０×（２５６０  ｍｏｄ  １０）＝９＋０＝９
【０１７２】
ＵＥ６のＲＡ＿ＲＮＴＩ＝１＋０＋１０×（（５１３×１０／２）ｍｏｄ（（２０−２）／２＋１））＝１＋０＋１０×（２５６５  ｍｏｄ  １０）＝１＋５０＝５１
【０１７３】
…．
【０１７４】
ＵＥ９のＲＡ＿ＲＮＴＩ＝１＋６＋１０×（（５１３×１０／２）ｍｏｄ（（２０−２）／２＋１））＝１＋６＋１０×（２５６５  ｍｏｄ  １０）＝７＋５０＝５７
【０１７５】
ＵＥ１０のＲＡ＿ＲＮＴＩ＝１＋８＋１０×（（５１３×１０／２）ｍｏｄ（（２０−２）／２＋１））＝１＋８＋１０×（２５６５  ｍｏｄ  １０）＝９＋５０＝５９
【０１７６】
ＵＥ１１のＲＡ＿ＲＮＴＩ＝１＋０＋１０×（（５１４×１０／２）ｍｏｄ（（２０−２）／２＋１））＝１＋０＋１０×（２５７０  ｍｏｄ  １０）＝１＋０＝１
【０１７７】
ＵＥ１およびＵＥ１１のＲＡ−ＲＮＴＩが同じであるが、これは、その応答ウィンドウが重複しないため、許容可能である。
【０１７８】
実施形態６
実施形態では、
【０１７９】
ＲＡ＿ＲＮＴＩ＝１＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ＋１））である。
【０１８０】
式中、ｔ＿ｉｄは、端末プリアンブル伝送の初期サブフレームシーケンス番号であり、ｕ＿ｉｄは、端末プリアンブル伝送の初期無線フレームシーケンス番号であり、ＰＲＡＣＨＷｉｎＬｅｎは、ＰＲＡＣＨリソース構成情報および端末の現在のカバレッジランキング下のプリアンブルの反復因数に基づいて判定される、プリアンブル伝送の間隔長である。式中、ＷＬｅｎは、端末の現在のカバレッジランキングのＲＡ応答ウィンドウ長であり、ｍｏｄは、モジュロを示す。式中、上記のパラメータの値に関して、実施形態２または実施形態３を参照することができ、それらは、ここでは繰り返されないであろう。
【０１８１】
実施形態７
実施形態では、ＲＡ＿ＲＮＴＩ＝１＋ｔ＿ｉｄ＋１０×ｖ＿ｉｄである。
【０１８２】
式中、ｔ＿ｉｄは、端末プリアンブル伝送の第１のサブフレームシーケンス番号であり、ｖ＿ｉｄは、端末プリアンブル伝送の第１の無線フレームのシーケンス番号、端末の現在のカバレッジランキングのＲＡ応答ウィンドウ長、および（無線サブフレームを単位として使用する）端末プリアンブル伝送の間隔長を考慮する包括的因数であり、ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ）であり、ｕ＿ｉｄは、端末プリアンブル伝送の第１の無線フレームのシーケンス番号である。ＰＲＡＣＨＷｉｎＬｅｎは、ＰＲＡＣＨリソース構成および現在のカバレッジランキング下のプリアンブルの反復因数に基づいて計算される、プリアンブル伝送の間隔長である。ＷＬｅｎは、端末の現在のカバレッジランキングのＲＡ応答ウィンドウ長であり、ｍｏｄは、モジュロを示す。式中、上記のパラメータの値に関して、実施形態２または実施形態３を参照することができ、それらは、ここでは繰り返されないであろう。
【０１８３】
実施形態８
本実施形態では、
【０１８４】
ＲＡ＿ＲＮＴＩ＝１＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ））である。
【０１８５】
式中、ｔ＿ｉｄは、端末プリアンブル伝送の初期サブフレームシーケンス番号であり、ｕ＿ｉｄは、端末プリアンブル伝送の初期無線フレームシーケンス番号であり、ＰＲＡＣＨＷｉｎＬｅｎは、ＰＲＡＣＨリソース構成情報および端末の現在のカバレッジランキング下のプリアンブルの反復因数に基づいて判定される、プリアンブル伝送の間隔長である。ＷＬｅｎは、端末の現在のカバレッジランキングのＲＡ応答ウィンドウ長であり、ｍｏｄは、モジュロを示す。式中、上記のパラメータの値に関して、実施形態２または実施形態３を参照することができ、したがって、ここでは繰り返されないであろう。
【０１８６】
加えて、完全には重複していない２つの近傍のユーザのＲＡ応答ウィンドウを考慮すると、それらは、それぞれの前後の少なくとも１つのサブフレームによって分離され、したがって、実施形態２−実施形態８によって提供される上記の公式のＷＬｅｎは、ＷＬｅｎ’によって置換されることができ、ＷＬｅｎ’＝ＷＬｅｎ−２である。
【０１８７】
実施形態９
本実施形態では、ＲＡ＿ＲＮＴＩ＝１＋ｓ＿ｉｄ＋ｗ＿ｉｄ×ＰＲＡＣＨＷｉｎＬｅｎである。
【０１８８】
式中、ｓ＿ｉｄは、端末プリアンブル伝送の初期サブフレームシーケンス番号であり、ｗ＿ｉｄは、端末プリアンブル伝送の初期周波数領域位置インデックスであり、ＰＲＡＣＨＷｉｎＬｅｎは、端末プリアンブル伝送の間隔長であり、ＰＲＡＣＨＷｉｎＬｅｎ値に関して、実施形態２または実施形態３を参照することができ、それらは、ここでは繰り返されないであろう。
【０１８９】
実施形態１０
本実施形態では、ＲＡ＿ＲＮＴＩ＝１＋ｗ＿ｉｄ＋ｓ＿ｉｄ×ＰＲＡＣＨＦｒｅＬｅｎである。
【０１９０】
式中、ｓ＿ｉｄは、プリアンブル伝送の初期サブフレームシーケンス番号であり、ｗ＿ｉｄは、プリアンブル伝送の周波数領域位置インデックスであり、ＰＲＡＣＨＦｒｅＬｅｎは、プリアンブル伝送の周波数領域間隔長であり、ＰＲＡＣＨＦｒｅＬｅｎは、以下の物理ランダムアクセスチャネル上でプリアンブルを伝送するために使用される周波数リソース構成情報、および周波数ホッピングモードのうちの１つまたはそれらの組み合わせに従って判定されることができる。
【０１９１】
実施形態１１
本実施形態では、ＲＡ＿ＲＮＴＩ＝ｎ０＋ｔ＿ｉｄ＋ｋ１×ｖ＿ｉである。
【０１９２】
式中、ｎ０およびｋ１は、因数であり、ｔ＿ｉｄは、プリアンブル伝送の初期サブフレームシーケンス番号であり、ｖ＿ｉｄは、以下の、プリアンブル伝送の初期無線フレームシーケンス番号、ＲＡ応答ウィンドウ長、プリアンブル伝送の間隔長であって、計算または事前構成を通して取得され得る、間隔長のうちの１つまたはそれらの組み合わせによって判定される包括的因数である。
【０１９３】
式中、例えば、ｎ０は、１であり、ｋ１は、１０である、またはｋ１＝１＋ＭＡＸ（ｔ＿ｉｄ）であり、ＭＡＸ（ｔ＿ｉｄ）は、ｔ＿ｉｄ値範囲内の最大値を示し、ｔ＿ｉｄは、プリアンブル伝送の初期サブフレームシーケンス番号である。
【０１９４】
式中、
【０１９５】
ｖ＿ｉｄ＝ｕ＿ｉｄ  ｍｏｄ  ＷＬｅｎまたは、
【０１９６】
ｖ＿ｉｄ＝ｕ＿ｉｄ  ｍｏｄ（ＷＬｅｎ／１０）または、
【０１９７】
ｖ＿ｉｄ＝（ｕ＿ｉｄ×１０）ｍｏｄ  ＷＬｅｎであり、
【０１９８】
式中、ｕ＿ｉｄは、端末プリアンブル伝送の第１の無線フレームシーケンス番号であり、ＷＬｅｎは、（無線サブフレームを単位として使用する）現在のカバレッジランキング下のＲＡ応答ウィンドウ長であり、ｍｏｄは、モジュロを示す。
【０１９９】
図５は、本発明のランダムアクセス装置の図示である。図５が示すように、本実施形態によって提供されるランダムアクセス装置は、通信ノードに適用されることができ、ランダムアクセス情報を取得するように構成される、情報取得モジュール５０１、ランダムアクセス情報に従ってＲＡ−ＲＮＴＩを判定するように構成される、処理モジュール５０２を備える。
【０２００】
ランダムアクセス情報は、プリアンブル伝送のサブフレームシーケンス番号、プリアンブル伝送の無線フレームシーケンス番号を備えることができる。代替として、ランダムアクセス情報は、プリアンブル伝送の時間領域位置インデックス情報、プリアンブル伝送の周波数領域位置インデックス情報を備えることができる。代替として、ランダムアクセス情報は、端末プリアンブル伝送の時間領域位置インデックス情報、端末プリアンブル伝送の周波数領域位置インデックス情報を備えることができる。
【０２０１】
好ましい実施形態では、ランダムアクセス情報はさらに、ＲＡ応答ウィンドウ長、プリアンブル伝送の間隔長を備えることができる。間隔長は、計算または事前構成を通して取得されることができる。
【０２０２】
加えて、本発明はまた、通信ノードに適用可能であり、ランダムアクセス情報相関因数を取得するように構成される、情報取得モジュール、ランダムアクセス情報相関因数に従ってＲＡ−ＲＮＴＩを判定するように構成される、処理モジュールを備える、ランダムアクセス装置を提供する。
【０２０３】
実践的用途に関して、情報取得モジュールの機能は、例えば、ワイヤレス通信ユニットおよび計算器から実装されることができる。しかしながら、本実施形態は、それに限定されない。上記の装置の機能はまた、メモリ上に記憶されるコードおよび／または命令を実行するプロセッサによって実装されることができる。
【０２０４】
加えて、本実施形態によって提供されるランダムアクセス装置の関連処理プロシージャに関して、上記の実施形態の方法の説明を参照することができ、これは、ここでは繰り返されないであろう。
【０２０５】
実施例としてＦＤＤシステムを使用する実践的用途に関して、付加的干渉を引き起こす主要シナリオは、プリアンブルを伝送する異なる無線フレームの同一のサブフレーム内に位置する同一のカバレッジランキングの２つの端末であり、その応答ウィンドウ長は、１つの無線フレームを超え、それらは、重複する。サブフレーム情報のみを含有する既存のＲＡ−ＲＮＴＩ計算式に基づいて、両方の端末は、同一の検索空間内にＰＤＣＣＨを復調するための同一のＲＡ−ＲＮＴＩを有し、これは、付加的干渉を生成する。これに関して、本発明の実施形態は、ＲＡ−ＲＮＴＩ公式を使用し、プリアンブル伝送の初期無線フレームの差異を反映する、または周波数領域位置インデックス情報を反映することが可能な因数を導入し、したがって、ＲＡ応答ウィンドウ重複が付加的干渉を生産しないであろうことを確実にし、これは、端末電力消費を低減させるであろう。
【０２０６】
図６が示すように、本実施形態はさらに、以下のステップを含む、ランダムアクセスのための方法を提供する。
【０２０７】
ステップ６０１：通信ノードが、ランダムアクセス情報を取得する。
【０２０８】
ステップ６０２：通信ノードが、ランダムアクセス情報に基づいて、ランダムアクセス応答ウィンドウ関連情報を判定する。
【０２０９】
ランダムアクセス情報は、以下の、ダウンリンクチャネル反復チャネルまたはその入力としてこれを伴う関数、ダウンリンク制御伝送周期（ＰＤＣＣＨ周期）またはその入力としてこれを伴う関数、ダウンリンク制御チャネル伝送間隔（ＰＤＣＣＨ伝送持続時間）またはその入力としてこれを伴う関数、ダウンリンク共有チャネル伝送周期（ＰＤＳＣＨ周期）またはその入力としてこれを伴う関数、ダウンリンク共有チャネル伝送間隔（ＰＤＳＣＨ伝送持続時間）またはその入力としてこれを伴う関数、アップリンクチャネル反復情報またはその入力としてこれを伴う関数、アップリンクアクセスチャネル伝送周期（ＰＲＡＣＨ周期）またはその入力としてこれを伴う関数、アップリンクアクセスチャネル伝送間隔（ＰＲＡＣＨ伝送持続時間）またはその入力としてこれを伴う関数、のうちの１つまたはそれらの組み合わせを備えることができる。
【０２１０】
ランダムアクセス応答ウィンドウ関連情報は、ランダムアクセス応答ウィンドウ開始時間、ランダムアクセス応答ウィンドウ初期時間領域位置、ランダムアクセス応答窓開始時間と先頭伝送終了時間との間の間隔を備えることができる。
【０２１１】
加えて、本開示の実施形態はまた、以下のステップ、すなわち、通信ノードが、ランダムアクセス情報を取得することであって、ランダムアクセス情報は、プリアンブル伝送のスーパーフレームシーケンス番号を備える、ことと、通信ノードが、ランダムアクセス情報に従ってＲＡ−ＲＮＴＩを判定することとを含む、ランダムアクセスのための方法を提供する。
【０２１２】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【０２１３】
ＲＡ＿ＲＮＴＩ＝ｎ０＋ｋ１×ＨＳＦＮ＿ｉｄ
【０２１４】
式中、ｎ０およびｋ１は、係数であり、ＨＳＦＮ＿ｉｄは、プリアンブル伝送のスーパーフレームシーケンス番号である。
【０２１５】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【０２１６】
ＲＡ＿ＲＮＴＩ＝ｎ０＋ｋ１×ｆ（ＨＳＦＮ＿ｉｄ）
【０２１７】
式中、ｎ０およびｋ１は、係数であり、ｆ（）は、その入力としてＨＳＦＮ＿ｉｄをとる関数を示し、ＨＳＦＮ＿ｉｄは、プリアンブル伝送のスーパーフレームシーケンス番号である。
【０２１８】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【０２１９】
ＲＡ＿ＲＮＴＩ＝ｎ０＋ｍ×ｆ（ｋｉ，Ｃｉ）
【０２２０】
式中、ｆ（）は、その入力としてｋｉ、Ｃｉをとる関数を示し、Ｃｉは、ランダムアクセス情報であり、ｎ０、ｍ、およびｋｉは、係数である。
【０２２１】
好ましい実施形態では、ランダムアクセス情報は、以下の、プリアンブル伝送のスーパーフレームシーケンス番号（ＨＳＦＮ＿ｉｄ）またはその入力としてこれを伴う関数、プリアンブル伝送の無線フレームシーケンス番号（ＳＦＮ＿ｉｄ）またはその入力としてこれを伴う関数、プリアンブル伝送のサブフレームシーケンス番号（ｓｕｂＳＦＮ＿ｉｄ）またはその入力としてこれを伴う関数、プリアンブル伝送の周波数領域位置インデックス（ｆ＿ｉｄ）またはその入力としてこれを伴う関数、プリアンブル伝送の周波数領域オフセット（ｆ＿ｏｆｆｓｅｔ）またはその入力としてこれを伴う関数、プリアンブル伝送の副搬送波インデックス（ｔｏｎｅ＿ｉｄ）またはその入力としてこれを伴う関数、プリアンブル伝送の帯域インデックス（ｂａｎｄ＿ｉｄ）またはその入力としてこれを伴う関数、ダウンリンク制御チャネルの伝送周期（ＰＤＣＣＨ周期）またはその入力としてこれを伴う関数であって、ＰＤＣＣＨ周期に関する単位は、スーパーフレーム、フレーム、サブフレーム、秒（ｓ）、ミリ秒（ｍｓ）、または他の時間単位であり得る、ランダムアクセスチャネル上の伝送周期（ＰＲＡＣＨ周期）またはその入力としてこれを伴う関数であって、ＰＲＡＣＨ周期に関する単位は、スーパーフレーム、フレーム、サブフレーム、ｓ、ｍｓ、または他の時間単位であり得る、伝送周期（ＰＲＡＣＨ周期）またはその入力としてこれを伴う関数、プリアンブル伝送の間隔長（プリアンブル周期）またはその入力としてこれを伴う関数であって、間隔長は、計算または事前構成を通して取得され得、プリアンブル周期に関する単位は、ＰＲＡＣＨ周期、ＰＤＣＣＨ周期、スーパーフレーム、フレーム、サブフレーム、ｓ、ｍｓ、または他の時間単位であり得る、間隔長（プリアンブル周期）またはその入力としてこれを伴う関数、ＲＡ応答ウィンドウ長（Ｗ＿ＲＡＲ）またはその入力としてこれを伴う関数であって、Ｗ＿ＲＡＲに関する単位は、ＰＤＣＣＨ周期、ＰＲＡＣＨ周期、スーパーフレーム、フレーム、サブフレーム、ｓ、ｍｓ、または他の時間単位であり得る、ＲＡ応答ウィンドウ長（Ｗ＿ＲＡＲ）またはその入力としてこれを伴う関数、ＲＡ応答ウィンドウ長（Ｗ＿ＲＡＲ）によって持続される最大長（ＭＷ＿ＲＡＲ）であって、ＭＷ＿ＲＡＲに関する単位は、ＰＤＣＣＨ周期、ＰＲＡＣＨ周期、スーパーフレーム、フレーム、サブフレーム、ｓ、ｍｓ、または他の時間単位であり得る、ＲＡ応答ウィンドウ長（Ｗ＿ＲＡＲ）によって持続される最大長（ＭＷ＿ＲＡＲ）、スーパーフレーム内に含有される無線フレームの数（ＨＳＦＮ数）またはその入力としてこれを伴う関数、ダウンリンク制御チャネル検索空間内で持続される効果的なサブフレームの数（ＲＭａｘ）またはその入力としてこれを伴う関数、ダウンリンク制御チャネル上の繰り返し数（Ｒｉ）またはその入力としてこれを伴う関数のうちの１つまたはそれらの組み合わせを備えることができる。
【０２２２】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【０２２３】
ＲＡ−ＲＮＴＩ＝ｎ０＋ｋ１×ｂａｎｄ＿ｉｄ＋ｋ２×ｆｌｏｏｒ（ＳＦＮ＿ｉｄ／ｍｉｎＰｅｒｉｏｄ）＋ｋ２×ｃｅｉｌ（ＨＳＦＮｎｕｍｂｅｒ／ｍｉｎＰｅｒｉｏｄ）×（ＨＳＦＮ＿ｉｄ  ｍｏｄ  ＭＷ＿ＲＡＲ）であり、式中、ｎ０は、係数であり、ｍｉｎＰｅｒｉｏｄは、ランダムアクセスの最小周期であり、ｍｉｎＰｅｒｉｏｄに関する単位は、フレームであり、ＭＷ＿ＲＡＲは、ＲＡ応答ウィンドウ長（Ｗ＿ＲＡＲ）によって持続される最大長であり、ＭＷ＿ＲＡＲに関する単位は、スーパーフレームであり、ｆｌｏｏｒ（）は、下方丸めを示し、ｃｅｉｌ（）は、上方丸めを示し、ｋｉは、正整数であり、ｉ＝１、２であり、例えば、ｋ１は、１であり得、ｋ２は、本システムにおける帯域の最大数（例えば、４）であり得、ｂａｎｄ＿ｉｄは、プリアンブル伝送の周波数帯域インデックスであり、ＳＦＮ＿ｉｄは、プリアンブル伝送の無線フレームシーケンス番号であり、ＨＳＦＮｎｕｍｂｅｒは、スーパーフレーム内に含有される無線フレームの数であり、ＨＳＦＮ＿ｉｄは、プリアンブル伝送のスーパーフレームシーケンス番号である。
【０２２４】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【０２２５】
ＲＡ−ＲＮＴＩ＝ｎ０＋ｋ１×ｂａｎｄ＿ｉｄ＋ｋ２×ｆｌｏｏｒ（ＳＦＮ＿ｉｄ／ｍｉｎＰｅｒｉｏｄ）＋ｆｌｏｏｒ（Ｒｍａｘ／ｚ）×［ｋ２×ｃｅｉｌ（ＨＳＦＮｎｕｍｂｅｒ／ｍｉｎＰｅｒｉｏｄ）×（ＨＳＦＮ＿ｉｄ  ｍｏｄ  ＭＷ＿ＲＡＲ）］であり、式中、ｎ０は、係数であり、ｍｉｎＰｅｒｉｏｄは、ランダムアクセスの最小周期であり、ｍｉｎＰｅｒｉｏｄに関する単位は、フレームであり、ＭＷ＿ＲＡＲは、ＲＡ応答ウィンドウ長（Ｗ＿ＲＡＲ）によって持続される最大長であり、ＭＷ＿ＲＡＲに関する単位は、スーパーフレームであり、ｆｌｏｏｒ（）は、下方丸めを示し、ｃｅｉｌ（）は、上方丸めを示し、ｚは、第１の閾値であり、値範囲は、正整数であり、例えば、ｚは、以下の２０４８、１０２４、５１２、２５６、１２８、６４のうちの１であり得、ｋｉは、正整数であり得、ｉ＝１、２である。例えば、ｋ１は、１であり得、ｋ２は、本システム内の帯域の最大数（例えば、４）であり得、ｂａｎｄ＿ｉｄは、プリアンブル伝送の帯域インデックスであり、ＳＦＮ＿ｉｄは、プリアンブル伝送の無線フレームシーケンス番号であり、ＨＳＦＮｎｕｍｂｅｒは、スーパーフレーム内に含有される無線フレームの数であり、ＨＳＦＮ＿ｉｄは、プリアンブル伝送のスーパーフレームシーケンス番号であり、Ｒｍａｘは、ダウンリンク制御チャネル検索空間内の効果的なサブフレームの数である。
【０２２６】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【０２２７】
ＲＡ−ＲＮＴＩ＝ｎ０＋ｋ１×ｂａｎｄ＿ｉｄ＋ｋ２×［ｆｌｏｏｒ（Ｒｍａｘ／ｚ）×（ＨＳＦＮ＿ｉｄ  ｍｏｄ  ＭＷ＿ＲＡＲ）］＋ｋ３×ｆｌｏｏｒ（ＳＦＮ＿ｉｄ／ｍｉｎＰｅｒｉｏｄ）であり、式中、ｎ０は、係数であり、ｆｌｏｏｒ（）は、下方丸めを示し、ｚは、第１の閾値であり、値範囲は、正整数であり、例えば、ｚは、以下の２０４８、１０２４、５１２、２５６、１２８、６４のうちの１つであり得、ｋｉの値は、これに先行する１つ以上の因数を合計した後の最大値であり、ｉ＝１、２、３である。例えば、ｋ１は、１であり得、ｋ２は、本システム内の帯域の最大数（例えば、４）であり得、ＭＷ＿ＲＡＲは、ＲＡ応答ウィンドウ長（Ｗ＿ＲＡＲ）によって持続される最大長であり、ｂａｎｄ＿ｉｄは、プリアンブル伝送の帯域インデックスであり、ＳＦＮ＿ｉｄは、プリアンブル伝送の無線フレームシーケンス番号であり、Ｒｍａｘは、ダウンリンク制御チャネル検索空間内で持続される効果的なサブフレームの数であり、ＨＳＦＮ＿ｉｄは、プリアンブル伝送のスーパーフレームシーケンス番号であり、ｍｉｎＰｅｒｉｏｄは、ランダムアクセスの最小周期である。
【０２２８】
好ましい実施形態では、通信ノードが、ランダムアクセス情報に従ってＲＡ−ＲＮＴＩを判定することはさらに、通信ノードが、以下のようにＲＡ−ＲＮＴＩを判定することを含むことができる。
【０２２９】
ＲＡ−ＲＮＴＩ＝ｎ０＋ｋ１×ｂａｎｄ＿ｉｄ＋ｋ２×（ＨＳＦＮ＿ｉｄ  ｍｏｄ  ＭＷ＿ＲＡＲ）＋ｋ３×ＭＷ＿ＲＡＲ×ｆｌｏｏｒ（ＳＦＮ＿ｉｄ／ｍｉｎＰｅｒｉｏｄ）であり、式中、ｎ０は、係数であり、ｆｌｏｏｒ（）は、下方丸めを示し、ｋｉの値は、これに先行する１つ以上の因数を合計した後の最大値であり、ｉ＝１、２、３であり、例えば、ｋ１は、１であり得、ｋ２は、本システム内の帯域の最大数（例えば、４）であり得、ＭＷ＿ＲＡＲは、ＲＡ応答ウィンドウ長（Ｗ＿ＲＡＲ）によって持続される最大長であり、ｂａｎｄ＿ｉｄは、プリアンブル伝送の帯域インデックスであり、ＳＦＮ＿ｉｄは、プリアンブル伝送の無線フレームシーケンス番号であり、ＨＳＦＮ＿ｉｄは、プリアンブル伝送のスーパーフレームシーケンス番号であり、ｍｉｎＰｅｒｉｏｄは、ランダムアクセスの最小周期である。
【０２３０】
好ましい実施形態では、ｎ０の値は、１である。好ましい実施形態では、ＭＷ＿ＲＡＲは、ダウンリンク制御チャネル伝送周期（ＰＤＣＣＨ周期）に従って判定されることができ、ＭＷ＿ＲＡＲは、ＰＤＣＣＨ周期×ｋに対応するスーパーフレームの最大数である、またはＭＷ＿ＲＡＲは、ＲＡＲ検出ウィンドウに対応するスーパーフレームの最大数であり、ｋは、係数である。
【０２３１】
好ましい実施形態では、以下のＲＡ−ＲＮＴＩ計算式またはｍｉｎＰｅｒｉｏｄ値のうちの少なくとも１つは、以下の、ダウンリンク制御チャネル検索空間によって持続される効果的なサブフレームの数（Ｒｍａｘ）、ダウンリンク制御チャネル伝送周期、またはＲＡＲウィンドウ長のうちの少なくとも１つによって判定されることができる。
【０２３２】
好ましい実施形態では、以下のＲｍａｘ、ダウンリンク制御チャネル伝送周期、またはＲＡＲウィンドウ長のうちの少なくとも１つに基づいてｍｉｎＰｅｒｉｏｄ値を判定することは、最小ＰＲＡＣＨ周期、例えば、４つの無線サブフレームとしてｍｉｎＰｅｒｉｏｄを判定すること、またはＲｍａｘ値に従ってｍｉｎＰｅｒｉｏｄを判定することであって、例えば、Ｒｍａｘがｘ１を上回るとき、ｍｉｎＰｅｒｉｏｄは、１６、３２、６４、１２８、２５６、５１２であり、Ｒｍａｘがｘ１を下回る、もしくはそれに等しいとき、ｍｉｎＰｅｒｉｏｄは、４である、こと、またはダウンリンク制御チャネル伝送周期値に従ってｍｉｎＰｅｒｉｏｄを判定することであって、例えば、ダウンリンク制御チャネル伝送周期がｘ２を上回るとき、ｍｉｎＰｅｒｉｏｄは、３２、６４、１２８、２５６、５１２であり、ダウンリンク制御チャネル伝送周期がｘ２を下回る、もしくはそれに等しいとき、ｍｉｎＰｅｒｉｏｄは、４である、こと、またはＲＡＲウィンドウ長に従ってｍｉｎＰｅｒｉｏｄ値を判定することであって、例えば、ＲＡＲウィンドウ長がｘ２を上回るとき、ｍｉｎＰｅｒｉｏｄは、３２、６４、１２８、２５６、５１２であり、ＲＡＲウィンドウ長がｘ３を下回る、もしくはそれに等しいとき、ｍｉｎＰｅｒｉｏｄは、４である、ことを含むことができる。
【０２３３】
好ましい実施形態では、ｘ１は、１２８であり得、ｘ２は、５１２であり得、ｘ３は、５１２個の無線フレームであり得る。
【０２３４】
好ましい実施形態では、以下のＲｍａｘ、ダウンリンク制御チャネル伝送周期、またはＲＡＲウィンドウ長のうちの少なくとも１つに従ってＲＡ−ＲＮＴＩ計算式を判定することは、Ｒｍａｘに従ってＲＡ−ＲＮＴＩ計算式を判定することであって、例えば、Ｒｍａｘがｘ１を上回るとき、ＲＡ−ＲＮＴＩは、スーパーフレーム、フレーム、およびｂａｎｄ＿ｉｄに基づいて判定され、Ｒｍａｘがｘ１を下回る、もしくはそれに等しいとき、ＲＡ−ＲＮＴＩは、フレームおよびｂａｎｄ＿ｉｄに基づいて判定される、こと、代替として、ダウンリンク制御チャネル伝送周期に従ってＲＡ−ＲＮＴＩ計算式を判定することであって、例えば、ダウンリンク制御チャネル伝送周期がｘ２を上回るとき、ＲＡ−ＲＮＴＩは、スーパーフレーム、フレーム、およびｂａｎｄ＿ｉｄに基づいて判定され、ダウンリンク制御チャネル伝送周期がｘ２を下回る、もしくはそれに等しいとき、ＲＡ−ＲＮＴＩは、フレームおよびｂａｎｄ＿ｉｄに基づいて判定される、こと、代替として、ＲＡＲウィンドウ長に従ってＲＡ−ＲＮＴＩ計算式を判定することであって、例えば、ＲＡＲウィンドウ長がｘ３を上回るとき、ＲＡ−ＲＮＴＩは、スーパーフレーム、フレーム、およびｂａｎｄ＿ｉｄに基づいて判定され、ＲＡＲウィンドウ長がｘ２を下回る、もしくそれに等しいとき、ＲＡＲ−ＲＮＴＩは、フレームおよびｂａｎｄ＿ｉｄに基づいて判定される、ことを含むことができる。
【０２３５】
好ましい実施形態では、ｘ１は、１２８であり得、ｘ２は、５１２であり得、ｘ３は、５１２個の無線フレームであり得る。
【０２３６】
加えて、本発明の実施形態はまた、コンピュータ実行可能命令を記憶するコンピュータ可読記憶媒体を提供し、コンピュータ実行可能命令は、プロセッサによって実行されると、上記に説明されるランダムアクセス方法を実装することができる。
【０２３７】
本明細書に開示される方法のステップ、システム、および装置の全てまたはいくつかにおけるモジュール／ユニットは、ソフトウェア、ファームウェア、またはそれらの適切な組み合わせとして実装され得ることが、当業者に明白となるであろう。ハードウェア実装では、本明細書に説明される機能モジュール／ユニットの分割は、必ずしも、物理的ユニットの分割に対応するわけではなく、例えば、物理的コンポーネントが、複数の機能を有することができる、または機能もしくはステップが、いくつかの物理的コンポーネントの協働によって実行されることができる。いくつかのコンポーネントまたはコンポーネントは全て、デジタル信号プロセッサもしくはマイクロプロセッサのソフトウェア等、プロセッサによって実装されることができる、または特殊化集積回路等の集積回路として実装されることができる。本ソフトウェアは、コンピュータ可読媒体上に分散されることができ、コンピュータ可読媒体は、コンピュータ記憶媒体（または非一時的媒体）と、通信媒体（または一時的媒体）とを備えることができる。当業者に明白なように、コンピュータ記憶媒体という用語は、情報（例えば、コンピュータ可読命令、データ構造、プログラムモジュール、または他のデータ）を記憶するための方法または技能のいずれかにおいて使用される、揮発性、非揮発性、可撤性、および非可撤性媒体を含む。コンピュータ記憶媒体は、限定ではないが、ＲＡＭ、ＲＯＭ、ＥＥＰＲＯＭ、フラッシュメモリ、もしくは他のメモリ技術、ＣＤ−ＲＯＭ、デジタル多用途ディスク（ＤＶＤ）、もしくは他のＣＤ記憶装置、磁気カセット、磁気テープ、磁気ディスク、もしくは他の磁気記憶デバイス、または情報を記憶するために使用され得、コンピュータによってアクセスされ得る任意の他の媒体を備える。
【０２３８】
加えて、通信媒体は、典型的には、コンピュータ可読命令、データ構造、プログラムモジュール、または、例えば、搬送波の変調データ信号もしくは本タイプの他の伝送機構内の他のデータを含有し、任意の情報送達媒体を備え得ることが、当業者に明白となるであろう。
【０２３９】
本願の原理、主要特徴、および利点は、上記に実証および説明された。本願は、上記に概説される実施形態によって限定されず、本開示の実施形態および説明は、本願の原理を説明する役割のみを果たす。その精神および範囲から逸脱することなく、本願は、種々の変更および改良を受け、これらの変更および改良は全て、本請求項の範囲に該当するべきである。
【産業上の利用可能性】
【０２４０】
本願の実施形態は、ランダムアクセスのための方法および装置を提供し、ＲＡ−ＲＮＴＩ公式を使用し、プリアンブル伝送の初期無線フレームの差異を反映する、または周波数領域位置インデックス情報を反映することが可能な因数を導入し、したがって、ＲＡ応答ウィンドウ重複が付加的干渉を生産しないであろうことを確実にし、ならびに端末電力消費を低減させる。
【図１】
2019508932.tif 000012
【図２】
2019508932.tif 000013
【図３】
2019508932.tif 000014
【図４】
2019508932.tif 000015
【図５】
2019508932.tif 000016
【図６】
2019508932.tif 000017
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって実施される方法であって、
ランダムアクセス情報を受信することであって、前記ランダムアクセス情報は、プリアンブル伝送の初期サブフレームの第１のシーケンス番号と、前記プリアンブル伝送の初期無線フレームの第２のシーケンス番号と、ランダムアクセス（ＲＡ）応答ウィンドウ長とを備える、ことと、
前記プリアンブル伝送の初期サブフレームの第１のシーケンス番号、前記プリアンブル伝送の初期無線フレームの第２のシーケンス番号、および前記ＲＡ応答ウィンドウ長に従って、ランダムアクセス無線ネットワーク一時アイデンティティ（ＲＡ−ＲＮＴＩ）を判定することと
を含む、方法。
【請求項２】
前記判定することはさらに、ｕ＿ｉｄ  ｍｏｄ（ＷＬｅｎ／１０）に基づいて、ある値を判定することを含み、式中、ｕ＿ｉｄは、前記プリアンブル伝送の初期無線フレームの第２のシーケンス番号であり、ＷＬｅｎは、前記ＲＡ応答ウィンドウ長であり、ｍｏｄは、モジュラスを示す、請求項１に記載の方法。
【請求項３】
前記ＲＡ−ＲＮＴＩは、ＲＡ＿ＲＮＴＩ＝ｎ０＋ｔ＿ｉｄ＋ｋ１×（ｕ＿ｉｄ  ｍｏｄ（ＷＬｅｎ／１０））に基づいて判定され、式中、ｎ０およびｋ１は、定係数であり、ｔ＿ｉｄは、前記プリアンブル伝送の初期サブフレームの第１のシーケンス番号であり、ｕ＿ｉｄは、前記プリアンブル伝送の初期無線フレームの第２のシーケンス番号であり、ＷＬｅｎは、前記ＲＡ応答ウィンドウ長である、請求項１に記載の方法。
【請求項４】
ランダムアクセスのためのデバイスであって、
ランダムアクセス情報を受信するように構成された受信ブロックであって、前記ランダムアクセス情報は、プリアンブル伝送の初期サブフレームの第１のシーケンス番号と、前記プリアンブル伝送の初期無線フレームの第２のシーケンス番号と、ランダムアクセス（ＲＡ）応答ウィンドウ長とを備える、受信ブロックと、
前記プリアンブル伝送の初期サブフレームの第１のシーケンス番号、前記プリアンブル伝送に関する前記初期無線フレームの第２のシーケンス番号、および前記ＲＡ応答ウィンドウ長に従って、ランダムアクセス無線ネットワーク一時アイデンティティ（ＲＡ−ＲＮＴＩ）を判定するように構成されている、処理ブロックと
を備える、デバイス。
【請求項５】
前記処理ブロックはさらに、ｕ＿ｉｄ  ｍｏｄ（ＷＬｅｎ／１０）に基づいて、ある値を判定するように構成され、式中、ｕ＿ｉｄは、前記プリアンブル伝送の初期無線フレームの第２のシーケンス番号であり、ＷＬｅｎは、前記ＲＡ応答ウィンドウ長であり、ｍｏｄは、モジュラスを示す、請求項４に記載のデバイス。
【請求項６】
前記ＲＡ−ＲＮＴＩは、ＲＡ＿ＲＮＴＩ＝ｎ０＋ｔ＿ｉｄ＋ｋ１×（ｕ＿ｉｄ  ｍｏｄ（ＷＬｅｎ／１０））に基づいて判定され、式中、ｎ０およびｋ１は、定係数であり、ｔ＿ｉｄは、前記プリアンブル伝送の初期サブフレームの第１のシーケンス番号であり、ｕ＿ｉｄは、前記プリアンブル伝送の初期無線フレームの第２のシーケンス番号であり、ＷＬｅｎは、前記ＲＡ応答ウィンドウ長である、請求項４に記載のデバイス。
【請求項７】
請求項１−３のうちのいずれか１つを実行するためのコンピュータ実行可能命令をその上に記憶している、非一過性コンピュータ可読媒体。
【手続補正２】
【補正対象書類名】明細書
【補正対象項目名】００２４
【補正方法】変更
【補正の内容】
【００２４】
付随の図面および詳細な説明を熟読および理解した後、本実施形態の他の側面を理解することができる。
本願明細書は、例えば、以下の項目も提供する。
（項目１）
ランダムアクセスのための方法であって、
通信ノードが、ランダムアクセス情報を取得することであって、前記ランダムアクセス情報は、プリアンブル伝送のサブフレームシーケンス番号、前記プリアンブル伝送の無線フレームシーケンス番号を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
（項目２）
前記通信ノードが、ランダムアクセス情報に従って前記ＲＡ−ＲＮＴＩを判定することは、
前記通信ノードが、
ＲＡ＿ＲＮＴＩ＝ｎ０＋ｔ＿ｉｄ＋ｋ１×ｕ＿ｉｄ
として前記ＲＡ−ＲＮＴＩを判定することを含み、
式中、ｎ０およびｋ１は、係数であり、ｔ＿ｉｄは、前記プリアンブル伝送の初期サブフレームのシーケンス番号であり、ｕ＿ｉｄは、前記プリアンブル伝送の初期無線フレームのシーケンス番号である、項目１に記載のランダムアクセスのための方法。
（項目３）
前記ランダムアクセス情報はさらに、以下の、ランダムアクセス（ＲＡ）応答ウィンドウ長、前記プリアンブル伝送の間隔長であって、前記間隔長は、計算または事前構成を通して取得され得る、間隔長のうちの１つまたはそれらの組み合わせを備える、項目１に記載のランダムアクセスのための方法。
（項目４）
前記通信ノードが、ランダムアクセス情報に従って前記ＲＡ−ＲＮＴＩを判定することは、
前記通信ノードが、
ＲＡ＿ＲＮＴＩ＝ｎ０＋ｔ＿ｉｄ＋ｋ１×ｖ＿ｉｄ
として前記ＲＡ−ＲＮＴＩを判定することを含み、
式中、ｎ０およびｋ１は、定係数であり、ｔ＿ｉｄは、前記プリアンブル伝送の初期サブフレームのシーケンス番号であり、ｖ＿ｉｄは、以下の、
前記プリアンブル伝送の初期無線フレームのシーケンス番号、
前記ＲＡ応答ウィンドウ長、
前記プリアンブル伝送の間隔長であって、前記間隔長は、計算または事前構成を通して取得され得る、間隔長、
のうちの１つまたはそれらの組み合わせに従って判定される、包括的因数である、項目３に記載のランダムアクセスのための方法。
（項目５）
ｖ＿ｉｄ＝ｕ＿ｉｄ  ｍｏｄ  ＷＬｅｎまたは、
ｖ＿ｉｄ＝ｕ＿ｉｄ  ｍｏｄ（ＷＬｅｎ／１０）または、
ｖ＿ｉｄ＝（ｕ＿ｉｄ×１０）ｍｏｄ  ＷＬｅｎであり、
式中、ｕ＿ｉｄは、前記プリアンブル伝送の初期無線フレームのシーケンス番号であり、ＷＬｅｎは、サブフレームを単位として使用する、前記ＲＡ応答ウィンドウ長であり、ｍｏｄは、モジュラスを示す、項目４に記載のランダムアクセスのための方法。
（項目６）
ｖ＿ｉｄ＝（（ｕ＿ｉｄ×１０）／ＰＲＡＣＨＷｉｎＬｅｎ）ｍｏｄ  ＷＬｅｎまたは、
ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ）または、
ｖ＿ｉｄ＝（（ｕ＿ｉｄ×１０）／ＰＲＡＣＨＷｉｎＬｅｎ）ｍｏｄ（ＷＬｅｎ／ＰＲＡＣＨＷｉｎＬｅｎ＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示す、項目４に記載のランダムアクセスのための方法。
（項目７）
ｖ＿ｉｄ＝（（ｕ＿ｉｄ×１０）／ＰＲＡＣＨＷｉｎＬｅｎ）ｍｏｄ  ＷＬｅｎまたは、
ｖ＿ｉｄ＝（（ｕ＿ｉｄ×１０）／ＰＲＡＣＨＷｉｎＬｅｎ）ｍｏｄ  ｃｅｉｌ（ＷＬｅｎ／ＰＲＡＣＨＷｉｎＬｅｎ）または、
ｖ＿ｉｄ＝（（ｕ＿ｉｄ×１０）／ＰＲＡＣＨＷｉｎＬｅｎ）ｍｏｄ（ｆｌｏｏｒ（ＷＬｅｎ／ＰＲＡＣＨＷｉｎＬｅｎ）＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示し、ｃｅｉｌ（）は、上方丸めを示し、ｆｌｏｏｒ（）は、下方丸めを示す、項目４に記載のランダムアクセスのための方法。
（項目８）
ｖ＿ｉｄ＝（ｕ＿ｉｄ／ＰＲＡＣＨＷｉｎＬｅｎ）ｍｏｄ（ＷＬｅｎ／１０）または、
ｖ＿ｉｄ＝（ｕ＿ｉｄ／ＰＲＡＣＨＷｉｎＬｅｎ）ｍｏｄ（ＷＬｅｎ／（ＰＲＡＣＨＷｉｎＬｅｎ×１０））または、
ｖ＿ｉｄ＝（ｕ＿ｉｄ／ＰＲＡＣＨＷｉｎＬｅｎ）ｍｏｄ（（ＷＬｅｎ／（ＰＲＡＣＨＷｉｎＬｅｎ×１０））＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示す、項目４に記載のランダムアクセスのための方法。
（項目９）
ｖ＿ｉｄ＝（ｕ＿ｉｄ／ＰＲＡＣＨＷｉｎＬｅｎ）ｍｏｄ（ＷＬｅｎ／１０）または、
ｖ＿ｉｄ＝（ｕ＿ｉｄ／ＰＲＡＣＨＷｉｎＬｅｎ）ｍｏｄ  ｃｅｉｌ（ＷＬｅｎ／（ＰＲＡＣＨＷｉｎＬｅｎ×１０））または、
ｖ＿ｉｄ＝（ｕ＿ｉｄ／ＰＲＡＣＨＷｉｎＬｅｎ）ｍｏｄ（ｆｌｏｏｒ（ＷＬｅｎ／（ＰＲＡＣＨＷｉｎＬｅｎ×１０））＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示し、ｃｅｉｌ（）は、上方丸めを示し、ｆｌｏｏｒ（）は、下方丸めを示す、項目４に記載のランダムアクセスのための方法。
（項目１０）
前記通信ノードが、ランダムアクセス情報に従って前記ＲＡ−ＲＮＴＩを判定することは、
前記通信ノードが、
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ  ＷＬｅｎ）または、
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ））または、
ＲＡ＿ＲＮＴＩ＝ｎ０＋（（（ｔ＿ｉｄ＋ｕ＿ｉｄ×１０）／ＰＲＡＣＨＷｉｎＬｅｎ）ｍｏｄ（ＷＬｅｎ／ＰＲＡＣＨＷｉｎＬｅｎ＋１））
として前記ＲＡ−ＲＮＴＩを判定することを含み、
式中、ｔ＿ｉｄは、前記プリアンブル伝送の初期サブフレームのシーケンス番号であり、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、サブフレームを単位として使用して、計算または事前構成を通して取得されることができ、ＷＬｅｎは、前記ＲＡ応答ウィンドウ長であり、ｍｏｄは、モジュラスを示し、ｎ０は、係数である、項目３に記載のランダムアクセスのための方法。
（項目１１）
ＰＲＡＣＨＷｉｎＬｅｎは、同一のサブフレーム内の前記プリアンブル伝送の間隔長、つまり、フレームまたはサブフレームを単位として使用する、異なる無線フレーム内の同一のサブフレームの２つの近傍のプリアンブル伝送間の間隔長を示す、項目４および項目６−１０のいずれかに記載のランダムアクセスのための方法。
（項目１２）
ＰＲＡＣＨＷｉｎＬｅｎは、同一のサブフレーム内の前記プリアンブル伝送の間隔長を示し、前記間隔長は、以下の計算を使用して取得され、
ＰＲＡＣＨＷｉｎＬｅｎ＝ＣＯＭＰＲＡＣＨ／ＮＰＲＡＣＨ＿ＰｅｒＦｒａｍｅ
式中、ＣＯＭＰＲＡＣＨは、ＰｐｒｅａｍｂｌｅおよびＮＰＲＡＣＨ＿ＰｅｒＦｒａｍｅの最小公倍数であり、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、項目１１に記載のランダムアクセスのための方法。
（項目１３）
ＰＲＡＣＨＷｉｎＬｅｎ＝１０×Ｐｐｒｅａｍｂｌｅ／ＮＰＲＡＣＨ＿ＰｅｒＦｒａｍｅであり、
式中、ＰＲＡＣＨＷｉｎＬｅｎは、前記プリアンブル伝送の間隔長を示し、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、項目４および項目６−１０のいずれかに記載のランダムアクセスのための方法。
（項目１４）
ＰＲＡＣＨＷｉｎＬｅｎは、前記プリアンブル伝送の間隔長を示し、以下の、
前記物理ランダムアクセスチャネル（ＰＲＡＣＨ）リソース初期無線サブフレームシーケンス番号、
前記各無線フレーム内で構成されるＰＲＡＣＨリソースの数、
前記プリアンブルを伝送するために使用される、各無線フレーム内で構成されるサブフレームのシーケンス番号、
前記プリアンブルフォーマット、
前記プリアンブルの反復因数、
のうちの１つまたはそれらの組み合わせに従って判定されることができる、項目４および項目６−１０のいずれかに記載のランダムアクセスのための方法。
（項目１５）
ＰＲＡＣＨＷｉｎＬｅｎは、前記プリアンブル伝送の事前構成された間隔長を示し、単位は、以下の、フレーム、サブフレーム、プリアンブル伝送の最大数のうちの１つであり得る、項目４および項目６−１０のいずれかに記載のランダムアクセスのための方法。
（項目１６）
前記プリアンブルを伝送するために使用され得る無線フレームのシーケンス番号が、ＭＡＸＦｒａｍｅＩｎｄｅｘ−ＰＲＡＣＨＷｉｎＬｅｎを上回る、またはそれに等しい場合、これらのフレームをスキップし、０のシーケンス番号を伴う無線フレームから前記プリアンブルを伝送し得る無線フレームの再検出を開始し、ＭＡＸＦｒａｍｅＩｎｄｅｘは、前記無線フレームシーケンス番号に関する最大値である、項目４および項目６−１５のいずれかに記載のランダムアクセスのための方法。
（項目１７）
ＷＬｅｎは、ＷＬｅｎ’によって置換され、ＷＬｅｎ’＝ＷＬｅｎ−２である、項目５−１０のいずれかに記載のランダムアクセスのための方法。
（項目１８）
ｎ０＝１である、項目２および項目４−１０のいずれかに記載のランダムアクセスのための方法。
（項目１９）
ｋ１＝１０またはｋ１＝１＋ＭＡＸ（ｔ＿ｉｄ）であり、ＭＡＸ（ｔ＿ｉｄ）は、ｔ＿ｉｄ範囲内の最大値を示し、ｔ＿ｉｄは、前記プリアンブル伝送の初期サブフレームのシーケンス番号である、項目２および項目４−９のいずれかに記載のランダムアクセスのための方法。
（項目２０）
前記通信ノードが、前記ランダムアクセス情報に従って前記ＲＡ−ＲＮＴＩを判定した後、前記ランダムアクセスのための方法はさらに、前記判定されたＲＡ−ＲＮＴＩが事前判定された値範囲内の最大値を超えると、前記通信ノードが、前記ＲＡ−ＲＮＴＩが事前判定された値であることを判定することを含む、項目１に記載のランダムアクセスのための方法。
（項目２１）
前記通信ノードが、ランダムアクセス情報に従って前記ＲＡ−ＲＮＴＩを判定することは、以下のタイプのランダムアクセス情報、すなわち、前記ランダムアクセス（ＲＡ）応答ウィンドウ長、前記プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、項目１に記載のランダムアクセスのための方法。
（項目２２）
ランダムアクセスのための方法であって、
通信ノードが、ランダムアクセス情報を取得することであって、前記ランダムアクセス情報は、プリアンブル伝送の時間領域位置インデックス情報、前記プリアンブル伝送の周波数領域位置インデックス情報を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
（項目２３）
前記通信ノードが、ランダムアクセス情報に従って前記ＲＡ−ＲＮＴＩを判定することは、
前記通信ノードが、
ＲＡ＿ＲＮＴＩ＝ｎ０＋ｔ＿ｉｄ＋ｋ１×ｖ＿ｉｄ＋ＷＬｅｎ×ｗ＿ｉｄ
として前記ＲＡ−ＲＮＴＩを判定することを含み、
式中、ｎ０およびｋ１は、係数であり、ｔ＿ｉｄは、前記プリアンブル伝送の初期サブフレームのシーケンス番号であり、ｗ＿ｉｄは、前記プリアンブル伝送の周波数領域位置インデックスであり、ＷＬｅｎは、ランダムアクセス（ＲＡ）応答ウィンドウ長であり、ｖ＿ｉｄは、以下の、
前記プリアンブル伝送の無線フレームシーケンス番号、
前記物理ランダムアクセスチャネル（ＰＲＡＣＨ）リソース初期無線サブフレームシーケンス番号、
前記ＲＡ応答ウィンドウ長、
前記プリアンブル伝送の間隔長であって、前記間隔長は、計算または事前構成を通して取得され得る、間隔長、
のうちの１つまたはそれらの組み合わせに従って判定される、包括的因数である、項目２２に記載のランダムアクセスのための方法。
（項目２４）
ｖ＿ｉｄ＝（ｕ＿ｉｄ／ＰＲＡＣＨＷｉｎＬｅｎ）ｍｏｄ（ＷＬｅｎ／１０）または、
ｖ＿ｉｄ＝（ｕ＿ｉｄ／ＰＲＡＣＨＷｉｎＬｅｎ）ｍｏｄ  ｃｅｉｌ（ＷＬｅｎ／（ＰＲＡＣＨＷｉｎＬｅｎ×１０））または、
ｖ＿ｉｄ＝（ｕ＿ｉｄ／ＰＲＡＣＨＷｉｎＬｅｎ）ｍｏｄ（ｆｌｏｏｒ（ＷＬｅｎ／（ＰＲＡＣＨＷｉｎＬｅｎ×１０））＋１）であり、
式中、ｕ＿ｉｄは、前記プリアンブル伝送の初期無線フレームのシーケンス番号であり、ＰＲＡＣＨＷｉｎＬｅｎは、前記プリアンブル伝送の間隔長であり、前記間隔は、計算または事前構成を通して取得されることができ、ＷＬｅｎは、サブフレームを単位として使用する、前記ＲＡ応答ウィンドウ長であり、ｍｏｄは、モジュラスを示し、ｃｅｉｌ（）は、上方丸めを示し、ｆｌｏｏｒ（）は、下方丸めを示す、項目２３に記載のランダムアクセスのための方法。
（項目２５）
ＰＲＡＣＨＷｉｎＬｅｎは、同一のサブフレーム内の前記プリアンブル伝送の間隔長、つまり、フレームまたはサブフレームを単位として使用する、異なる無線フレーム内の同一のサブフレームの２つの近傍のプリアンブル伝送間の間隔長を示す、項目２４に記載のランダムアクセスのための方法。
（項目２６）
ＰＲＡＣＨＷｉｎＬｅｎは、同一のサブフレーム内の前記プリアンブル伝送の間隔長を示し、前記間隔長は、以下の計算を使用して取得され、
ＰＲＡＣＨＷｉｎＬｅｎ＝ＣＯＭＰＲＡＣＨ／ＮＰＲＡＣＨ＿ＰｅｒＦｒａｍｅ
式中ＣＯＭＰＲＡＣＨは、ＰｐｒｅａｍｂｌｅおよびＮＰＲＡＣＨ＿ＰｅｒＦｒａｍｅの最小公倍数であり、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、項目２５に記載のランダムアクセスのための方法。
（項目２７）
ＷＬｅｎは、ＷＬｅｎ’によって置換され、ＷＬｅｎ’＝ｎ０＋ＭＡＸ（ｔ＿ｉｄ）＋ｋ１×ＭＡＸ（ｕ＿ｉｄ）であり、ＭＡＸ（ｔ＿ｉｄ）は、ｔ＿ｉｄ範囲内の最大値を示し、ＭＡＸ（ｕ＿ｉｄ）は、ｕ＿ｉｄ範囲内の最大値を示し、ｕ＿ｉｄは、前記プリアンブル伝送の初期無線フレームのシーケンス番号であり、ｔ＿ｉｄは、前記プリアンブル伝送の初期サブフレームのシーケンス番号である、項目２４に記載のランダムアクセスのための方法。
（項目２８）
ｎ０＝１であり、ｋ１＝１０またはｋ１＝１＋ＭＡＸ（ｔ＿ｉｄ）であり、ＭＡＸ（ｔ＿ｉｄ）は、ｔ＿ｉｄ範囲内の最大値を示し、ｔ＿ｉｄは、前記プリアンブル伝送の初期サブフレームのシーケンス番号である、項目２３または項目２７に記載のランダムアクセスのための方法。
（項目２９）
前記通信ノードが、前記ランダムアクセス情報に従って前記ＲＡ−ＲＮＴＩを判定した後、前記ランダムアクセスのための方法はさらに、前記ＲＡ−ＲＮＴＩが事前判定された値範囲内の最大値を超えると判定されると、前記通信ノードが、前記ＲＡ−ＲＮＴＩが事前判定された値であることを判定することを含む、項目２２に記載のランダムアクセスのための方法。
（項目３０）
前記通信ノードが、ランダムアクセス情報に従って前記ＲＡ−ＲＮＴＩを判定することは、以下のタイプのランダムアクセス情報、すなわち、前記ランダムアクセス（ＲＡ）応答ウィンドウ長、前記プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、項目２２に記載のランダムアクセスのための方法。
（項目３１）
ランダムアクセスのための方法であって、
通信ノードが、ランダムアクセス情報を取得することであって、前記ランダムアクセス情報は、端末プリアンブル伝送の時間領域位置インデックス情報、前記端末プリアンブル伝送の周波数領域位置インデックス情報を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
（項目３２）
前記ランダムアクセス情報はさらに、以下の、ランダムアクセス（ＲＡ）応答ウィンドウ長、前記プリアンブル伝送の間隔長であって、前記間隔長は、計算または事前構成を通して取得され得る、間隔長のうちの１つまたはそれらの組み合わせを備える、項目３１に記載のランダムアクセスのための方法。
（項目３３）
前記通信ノードが、ランダムアクセス情報に従って前記ＲＡ−ＲＮＴＩを判定することは、
前記通信ノードが、
ＲＡ＿ＲＮＴＩ＝ｎ０＋ｓ＿ｉｄ＋ｗ＿ｉｄ×ＰＲＡＣＨＷｉｎＬｅｎ
として前記ＲＡ−ＲＮＴＩを判定することを含み、
式中、ｎ０は、係数であり、ｓ＿ｉｄは、前記端末プリアンブル伝送の時間領域位置インデックスであり、ｗ＿ｉｄは、前記端末プリアンブル伝送の周波数領域位置インデックスであり、ＰＲＡＣＨＷｉｎＬｅｎは、前記プリアンブル伝送の間隔長であり、前記間隔長は、計算または事前構成を通して取得されることができる、項目３２に記載のランダムアクセスのための方法。
（項目３４）
ＰＲＡＣＨＷｉｎＬｅｎは、同一のサブフレーム内の前記プリアンブル伝送の間隔長、つまり、フレームまたはサブフレームを単位として使用する、異なる無線フレーム内の同一のサブフレームの２つの近傍のプリアンブル伝送間の間隔長を示す、項目３３に記載のランダムアクセスのための方法。
（項目３５）
ＰＲＡＣＨＷｉｎＬｅｎは、同一のサブフレーム内の前記プリアンブル伝送の間隔長を示し、前記間隔長は、以下の計算を使用して取得され、
ＰＲＡＣＨＷｉｎＬｅｎ＝ＣＯＭＰＲＡＣＨ／ＮＰＲＡＣＨ＿ＰｅｒＦｒａｍｅ
式中、ＣＯＭＰＲＡＣＨは、ＰｐｒｅａｍｂｌｅおよびＮＰＲＡＣＨ＿ＰｅｒＦｒａｍｅの最小公倍数であり、ＮＰＲＡＣＨ＿ＰｅｒＦｒａｍｅは、各無線フレーム内で構成される物理ランダムアクセスチャネル（ＰＲＡＣＨ）リソースの数を示し、Ｐｐｒｅａｍｂｌｅは、前記プリアンブルの反復因数を示す、項目３４に記載のランダムアクセスのための方法。
（項目３６）
ＰＲＡＣＨＷｉｎＬｅｎ＝１０×Ｐｐｒｅａｍｂｌｅ／ＮＰＲＡＣＨ＿ＰｅｒＦｒａｍｅであり、
式中、ＰＲＡＣＨＷｉｎＬｅｎは、前記プリアンブル伝送の間隔長を示し、ＮＰＲＡＣＨ＿ＰｅｒＦｒａｍｅは、各無線フレーム内で構成されるＰＲＡＣＨリソースの数を示し、Ｐｐｒｅａｍｂｌｅは、前記プリアンブルの反復因数を示す、項目３３に記載のランダムアクセスのための方法。
（項目３７）
ＰＲＡＣＨＷｉｎＬｅｎは、前記プリアンブル伝送の間隔長を示し、以下の、
前記物理ランダムアクセスチャネル（ＰＲＡＣＨ）リソース初期無線サブフレームシーケンス番号と、
前記各無線フレーム内で構成されるＰＲＡＣＨリソースの数と、
各無線フレーム内で構成される、前記プリアンブルを伝送するために使用されるサブフレームシーケンス番号と、
前記プリアンブルフォーマットと、
前記プリアンブルの反復因数と、
のうちの１つまたはそれらの組み合わせに従って判定されることができる、項目３３に記載のランダムアクセスのための方法。
（項目３８）
ＰＲＡＣＨＷｉｎＬｅｎは、前記プリアンブル伝送の事前構成された間隔長を示し、単位は、以下の、フレーム、サブフレーム、プリアンブル伝送の最大数のうちの１つであり得る、項目３３に記載のランダムアクセスのための方法。
（項目３９）
前記通信ノードが、ランダムアクセス情報に従って前記ＲＡ−ＲＮＴＩを判定することは、
前記通信ノードが、
ＲＡ＿ＲＮＴＩ＝ｎ０＋ｗ＿ｉｄ＋ｓ＿ｉｄ×ＰＲＡＣＨＦｒｅＬｅｎ
として前記ＲＡ−ＲＮＴＩを判定することを含み、
式中、ｎ０は、係数であり、ｓ＿ｉｄは、前記プリアンブル伝送の時間領域位置インデックスであり、ｗ＿ｉｄは、前記プリアンブル伝送の周波数領域位置インデックスであり、ＰＲＡＣＨＦｒｅＬｅｎは、前記プリアンブル伝送の周波数領域間隔長または周波数領域複信において送信され得る前記プリアンブル伝送の最大数である、項目３１に記載のランダムアクセスのための方法。
（項目４０）
ｎ０＝１である、項目３３または項目３９に記載のランダムアクセスのための方法。
（項目４１）
ＰＲＡＣＨＦｒｅＬｅｎは、前記プリアンブル伝送の周波数間隔長を示し、以下のタイプの情報、すなわち、前記物理ランダムアクセスチャネル上で前記プリアンブルを伝送するために使用される周波数リソース構成情報、および周波数ホッピングモードのうちの１つまたはそれらの組み合わせに従って判定されることができる、項目３９に記載のランダムアクセスのための方法。
（項目４２）
前記時間領域位置インデックス情報は、以下の、
前記プリアンブル伝送のサブフレームシーケンス番号と、
前記プリアンブル伝送の無線フレームシーケンス番号と
のうちのいずれかを備える、項目３１−４１のいずれかに記載のランダムアクセスのための方法。
（項目４３）
前記周波数領域位置インデックス情報は、以下の、
前記プリアンブル伝送の初期周波数領域位置インデックスと、
前記プリアンブル伝送の周波数領域位置オフセットと、
周波数領域副搬送波インデックスと
のうちのいずれかを備える、項目３１−４１のいずれかに記載のランダムアクセス方法。
（項目４４）
前記通信ノードが、前記ランダムアクセス情報に従って前記ＲＡ−ＲＮＴＩを判定した後、前記ランダムアクセスのための方法はさらに、前記ＲＡ−ＲＮＴＩが事前判定された値範囲内の最大値を超えると判定されると、前記通信ノードが、前記ＲＡ−ＲＮＴＩが事前判定された値であることを判定することを含む、項目３１に記載のランダムアクセスのための方法。
（項目４５）
前記通信ノードが、ランダムアクセス情報に従って前記ＲＡ−ＲＮＴＩを判定することは、以下のタイプのランダムアクセス情報、すなわち、前記ランダムアクセス（ＲＡ）応答ウィンドウ長、プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、項目３１に記載のランダムアクセスのための方法。
（項目４６）
ランダムアクセスのための方法であって、
通信ノードが、ランダムアクセス情報相関因数を取得することと、
前記通信ノードが、前記ランダムアクセス情報相関因数に従って、ランダムアクセス無線ネットワーク一時アイデンティティ（ＲＡ−ＲＮＴＩ）を判定することと
を含む、ランダムアクセスのための方法。
（項目４７）
前記通信ノードが、ランダムアクセス情報相関因数に従ってＲＡ−ＲＮＴＩを判定することは、
前記通信ノードが、
【数３】
2019508932.tif 000018
として前記ＲＡ−ＲＮＴＩを判定することを含み、
式中、ｎ０は、係数であり、Ｎは、ランダムアクセス情報相関因数の数であり、
【数４】
2019508932.tif 000019
ＭＡＸ（ｃｉ−１）は、ｃｉ−１の最大値を示す、項目４６に記載のランダムアクセスのための方法。
（項目４８）
ｎ０＝１である、項目４７に記載のランダムアクセスのための方法。
（項目４９）
前記ランダムアクセス情報相関因数は、以下の、
前記プリアンブル伝送の初期サブフレームのシーケンス番号と、
前記プリアンブル伝送の初期無線フレームのシーケンス番号と、
前記各無線フレーム内で構成される物理ランダムアクセスチャネルリソースの数と、
プリアンブル反復因数と、
前記プリアンブル伝送の最終サブフレームのシーケンス番号と、
前記プリアンブル伝送の最終無線フレームのシーケンス番号と、
前記プリアンブル伝送の周波数領域位置オフセットと、
周波数領域副搬送波インデックスと、
前記ランダムアクセス（ＲＡ）応答ウィンドウ長と
のうちの１つまたはそれらの組み合わせを備える、項目４６に記載のランダムアクセスのための方法。
（項目５０）
前記通信ノードが、前記ランダムアクセス情報相関因数に従って前記ＲＡ−ＲＮＴＩを判定した後、前記ランダムアクセスのための方法はさらに、前記ＲＡ−ＲＮＴＩが事前判定された値範囲内の最大値を超えると判定されると、前記通信ノードが、前記ＲＡ−ＲＮＴＩが事前判定された値であることを判定することを含む、項目４６に記載のランダムアクセスのための方法。
（項目５１）
前記通信ノードが、ランダムアクセス情報相関因数に従って前記ＲＡ−ＲＮＴＩを判定することは、以下のタイプのランダムアクセス情報、すなわち、前記ランダムアクセス（ＲＡ）応答ウィンドウ長、前記プリアンブル反復因数、前記プリアンブル伝送の間隔長のうちの１つまたはそれらの組み合わせが、カバレッジランキングに対応するとき、前記ＲＡ−ＲＮＴＩ計算もまた、カバレッジランキングに対応することを含む、項目４６に記載のランダムアクセスのための方法。
（項目５２）
通信ノードに適用可能なランダムアクセスのための装置であって、
ランダムアクセス情報を取得するように構成された情報取得モジュールであって、前記ランダムアクセス情報は、プリアンブル伝送のサブフレームシーケンス番号、前記プリアンブル伝送の無線フレームシーケンス番号を備える、情報取得モジュールと、
前記ランダムアクセス情報に従って、ランダムアクセス無線ネットワーク一時アイデンティティ（ＲＡ−ＲＮＴＩ）を判定するように構成されている、処理ユニットと
を備える、ランダムアクセスのための装置。
（項目５３）
ランダムアクセスのための方法であって、
通信ノードが、ランダムアクセス情報を取得することと、
前記通信ノードが、ランダムアクセス応答ウィンドウ関連情報を判定することと
を含む、ランダムアクセスのための方法。
（項目５４）
前記ランダムアクセス情報は、以下の、

ダウンリンクチャネル反復情報またはその入力としてこれを伴う関数、
ダウンリンク制御伝送周期（ＰＤＣＣＨ周期）またはその入力としてこれを伴う関数、
ダウンリンク制御チャネル伝送間隔（ＰＤＣＣＨ伝送持続時間）またはその入力としてこれを伴う関数、
ダウンリンク共有チャネル伝送周期（ＰＤＳＣＨ周期）またはその入力としてこれを伴う関数、
ダウンリンク共有チャネル伝送間隔（ＰＤＳＣＨ伝送持続時間）またはその入力としてこれを伴う関数、
アップリンクチャネル反復情報またはその入力としてこれを伴う関数、
アップリンクアクセスチャネル伝送周期（ＰＲＡＣＨ周期）またはその入力としてこれを伴う関数、
アップリンクアクセスチャネル伝送間隔（ＰＲＡＣＨ伝送持続時間）またはその入力としてこれを伴う関数、
のうちの１つまたはそれらの組み合わせを備える、項目５３に記載のランダムアクセスのための方法。
（項目５５）
前記ランダムアクセス応答ウィンドウ関連情報は、
ランダムアクセス応答ウィンドウ開始時間、
ランダムアクセス応答ウィンドウ初期時間領域位置、
前記ランダムアクセス応答ウィンドウ開始時間と先頭伝送終了時間との間の間隔、
を備える、項目５３に記載のランダムアクセスのための方法。
（項目５６）
ランダムアクセスのための方法であって、
通信ノードが、ランダムアクセス情報を取得することであって、前記ランダムアクセス情報は、プリアンブル伝送のスーパーフレームシーケンス番号を備える、ことと、
前記通信ノードが、前記ランダムアクセス情報に従って、ランダムアクセス無線ネットワーク一時アイデンティティ（ＲＡ−ＲＮＴＩ）を判定することと
を含む、ランダムアクセスのための方法。
（項目５７）
前記通信ノードが、ランダムアクセス情報に従って前記ＲＡ−ＲＮＴＩを判定することは、
前記通信ノードが、
ＲＡ＿ＲＮＴＩ＝ｎ０＋ｋ１×ＨＳＦＮ＿ｉｄ
として前記ＲＡ−ＲＮＴＩを判定することを含み、
式中、ｎ０およびｋ１は、係数であり、ＨＳＦＮ＿ｉｄは、前記プリアンブル伝送のスーパーフレームシーケンス番号である、項目５６に記載のランダムアクセスのための方法。
（項目５８）
前記通信ノードが、ランダムアクセス情報に従って前記ＲＡ−ＲＮＴＩを判定することは、
前記通信ノードが、
ＲＡ＿ＲＮＴＩ＝ｎ０＋ｋ１×ｆ（ＨＳＦＮ＿ｉｄ）
として前記ＲＡ−ＲＮＴＩを判定することを含み、
式中、ｎ０およびｋ１は、係数であり、ｆ（）は、その入力としてＨＳＦＮ＿ｉｄをとる関数を示し、ＨＳＦＮ＿ｉｄは、前記プリアンブル伝送のスーパーフレームシーケンス番号である、項目５６に記載のランダムアクセスのための方法。
（項目５９）
前記通信ノードが、ランダムアクセス情報に従って前記ＲＡ−ＲＮＴＩを判定することは、
前記通信ノードが、
ＲＡ＿ＲＮＴＩ＝ｎ０＋ｍ×ｆ（ｋｉ，Ｃｉ）
として前記ＲＡ−ＲＮＴＩを判定することを含み、
式中、ｆ（）は、その入力としてｋｉ、Ｃｉをとる関数を示し、Ｃｉは、ランダムアクセス情報であり、ｎ０、ｍ、およびｋｉは、係数である、項目５６に記載のランダムアクセスのための方法。
（項目６０）
前記ランダムアクセス情報は、以下の、
前記プリアンブル伝送のスーパーフレームシーケンス番号（ＨＳＦＮ＿ｉｄ）またはその入力としてこれを伴う関数と、
前記プリアンブル伝送の無線フレームシーケンス番号（ＳＦＮ＿ｉｄ）またはその入力としてこれを伴う関数と、
前記プリアンブル伝送のサブフレームシーケンス番号（ｓｕｂＳＦＮ＿ｉｄ）またはその入力としてこれを伴う関数と、
前記プリアンブル伝送の周波数領域位置インデックス（ｆ＿ｉｄ）またはその入力としてこれを伴う関数と、
前記プリアンブル伝送の周波数領域オフセット（ｆ＿ｏｆｆｓｅｔ）またはその入力としてこれを伴う関数と、
前記プリアンブル伝送の副搬送波インデックス（ｔｏｎｅ＿ｉｄ）またはその入力としてこれを伴う関数と、
前記プリアンブル伝送の帯域インデックス（ｂａｎｄ＿ｉｄ）またはその入力としてこれを伴う関数と、
ダウンリンク制御チャネルの伝送周期（ＰＤＣＣＨ周期）またはその入力としてこれを伴う関数と、
前記ランダムアクセスチャネル上の伝送周期（ＰＲＡＣＨ周期）またはその入力としてこれを伴う関数と、
前記プリアンブル伝送の間隔長（プリアンブル周期）であって、前記間隔は、計算または事前構成を通して取得され得る、間隔長（プリアンブル周期）またはその入力としてこれを伴う関数と、
前記ＲＡ応答ウィンドウ長（Ｗ＿ＲＡＲ）またはその入力としてこれを伴う関数と、
前記ＲＡ応答ウィンドウ長（Ｗ＿ＲＡＲ）によって持続される最大長（ＭＷ＿ＲＡＲ）と、
前記スーパーフレーム内に含有される無線フレームの数（ＨＳＦＮ数）またはその入力としてこれを伴う関数と、
前記ダウンリンク制御チャネル検索空間内で持続される効果的なサブフレームの数（ＲＭａｘ）またはその入力としてこれを伴う関数と、
前記ダウンリンク制御チャネル上の繰り返し数（Ｒｉ）またはその入力としてこれを伴う関数と
のうちの１つまたはそれらの組み合わせを備える、項目５６−５９のいずれかに記載のランダムアクセスのための方法。
（項目６１）
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×ｆｌｏｏｒ（ＳＦＮ＿ｉｄ／ｍｉｎＰｅｒｉｏｄ）＋ｋ２×ｃｅｉｌ（ＨＳＦＮｎｕｍｂｅｒ／ｍｉｎＰｅｒｉｏｄ）×（ＨＳＦＮ＿ｉｄ  ｍｏｄ  ＭＷ＿ＲＡＲ）
として前記ＲＡ−ＲＮＴＩを判定することを含み、
式中、ｎ０は、係数であり、ｍｉｎＰｅｒｉｏｄは、ランダムアクセスの最小周期であり、ｍｉｎＰｅｒｉｏｄに関する単位は、フレームであり、ＭＷ＿ＲＡＲは、前記ＲＡ応答ウィンドウ長（Ｗ＿ＲＡＲ）によって持続される最大長であり、ＭＷ＿ＲＡＲに関する単位は、スーパーフレームであり、ｋｉは、正整数であり、ｉ＝１、２であり、ｆｌｏｏｒ（）は、下方丸めを示し、ｃｅｉｌ（）は、上方丸めを示し、ｂａｎｄ＿ｉｄは、前記プリアンブル伝送の帯域インデックスであり、ＳＦＮ＿ｉｄは、前記プリアンブル伝送の無線フレームシーケンス番号であり、ＨＳＦＮｎｕｍｂｅｒは、スーパーフレーム内に含有される無線フレームの数であり、ＨＳＦＮ＿ｉｄは、前記プリアンブル伝送のスーパーフレームシーケンス番号である、項目５６−６０のいずれかに記載のランダムアクセスのための方法。
（項目６２）
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×ｆｌｏｏｒ（ＳＦＮ＿ｉｄ／ｍｉｎＰｅｒｉｏｄ）＋ｆｌｏｏｒ（Ｒｍａｘ／ｚ）×［ｋ２×ｃｅｉｌ（ＨＳＦＮｎｕｍｂｅｒ／ｍｉｎＰｅｒｉｏｄ）×（ＨＳＦＮ＿ｉｄ  ｍｏｄ  ＭＷ＿ＲＡＲ）］
として前記ＲＡ−ＲＮＴＩを判定することを含み、
式中、ｎ０は、係数であり、ｍｉｎＰｅｒｉｏｄは、ランダムアクセスの最小周期であり、ｍｉｎＰｅｒｉｏｄに関する単位は、フレームであり、ＭＷ＿ＲＡＲは、前記ＲＡ応答ウィンドウ長（Ｗ＿ＲＡＲ）によって持続される最大長であり、ＭＷ＿ＲＡＲに関する単位は、スーパーフレームであり、ｚは、第１の閾値であり、値範囲は、正整数であり、ｋｉは、正整数であり、ｉ＝１、２であり、ｆｌｏｏｒ（）は、下方丸めを示し、ｃｅｉｌ（）は、上方丸めを示し、ｂａｎｄ＿ｉｄは、前記プリアンブル伝送の帯域インデックスであり、ＳＦＮ＿ｉｄは、前記プリアンブル伝送の無線フレームシーケンス番号であり、ＨＳＦＮｎｕｍｂｅｒは、スーパーフレーム内に含有される無線フレームの数であり、ＨＳＦＮ＿ｉｄは、前記プリアンブル伝送のスーパーフレームシーケンス番号であり、Ｒｍａｘは、前記ダウンリンク制御チャネル検索空間内の効果的なサブフレームの数である、項目５６−６０に記載のランダムアクセスのための方法。
（項目６３）
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×［ｆｌｏｏｒ（Ｒｍａｘ／ｚ）×（ＨＳＦＮ＿ｉｄ  ｍｏｄ  ＭＷ＿ＲＡＲ）］＋ｋ３×ｆｌｏｏｒ（ＳＦＮ＿ｉｄ／ｍｉｎＰｅｒｉｏｄ）
として前記ＲＡ−ＲＮＴＩを判定することを含み、
式中、ｎ０は、係数であり、ｚは、第１の閾値であり、値範囲は、正整数であり、ｋｉの値は、これに先行する１つ以上の因数を合計した後の最大値であり、ｉ＝１、２、３であり、ｆｌｏｏｒ（）は、下方丸めを示し、ＭＷ＿ＲＡＲは、前記ＲＡ応答ウィンドウ長（Ｗ＿ＲＡＲ）によって持続される最大長であり、ｂａｎｄ＿ｉｄは、前記プリアンブル伝送の帯域インデックスであり、ＳＦＮ＿ｉｄは、前記プリアンブル伝送の無線フレームシーケンス番号であり、Ｒｍａｘは、前記ダウンリンク制御チャネル検索空間内の効果的なサブフレームの数であり、ＨＳＦＮ＿ｉｄは、前記プリアンブル伝送のスーパーフレームシーケンス番号であり、ｍｉｎＰｅｒｉｏｄは、ランダムアクセスの最小周期である、項目５６−６０に記載のランダムアクセスのための方法。
（項目６４）
前記通信ノードが、ランダムアクセス情報に従って前記ＲＡ−ＲＮＴＩを判定することは、
前記通信ノードが、
ＲＡ−ＲＮＴＩ＝ｎ０＋ｋ１×ｂａｎｄ＿ｉｄ＋ｋ２×（ＨＳＦＮ＿ｉｄ  ｍｏｄ  ＭＷ＿ＲＡＲ）＋ｋ３×ＭＷ＿ＲＡＲ×ｆｌｏｏｒ（ＳＦＮ＿ｉｄ／ｍｉｎＰｅｒｉｏｄ）
として前記ＲＡ−ＲＮＴＩを判定することを含み、
式中、ｎ０は、係数であり、ｋｉの値は、これに先行する１つ以上の因数を合計した後の最大値であり、ｋｉは、正整数であり、ｉ＝１、２、３であり、ｆｌｏｏｒ（）は、下方丸めを示し、ＭＷ＿ＲＡＲは、前記ＲＡ応答ウィンドウ長（Ｗ＿ＲＡＲ）によって持続される最大長であり、ｂａｎｄ＿ｉｄは、前記プリアンブル伝送の帯域インデックスであり、ＳＦＮ＿ｉｄは、前記プリアンブル伝送の無線フレームシーケンス番号であり、ＨＳＦＮ＿ｉｄは、前記プリアンブル伝送のスーパーフレームシーケンス番号であり、ｍｉｎＰｅｒｉｏｄは、ランダムアクセスの最小周期である、項目５６−６０のいずれかに記載のランダムアクセスのための方法。
（項目６５）
ｎ０の値は、１である、項目５６−６４のいずれかに記載のランダムアクセスのための方法。
（項目６６）
ＭＷ＿ＲＡＲは、ダウンリンク制御チャネル伝送周期（ＰＤＣＣＨ周期）に従って判定され、ＭＷ＿ＲＡＲは、前記ＰＤＣＣＨ周期×ｋに対応するスーパーフレームの最大数である、またはＭＷ＿ＲＡＲは、ＲＡＲ検出ウィンドウに対応するスーパーフレームの最大数であり、ｋは、係数である、項目５６−６４のいずれかに記載のランダムアクセスのための方法。
（項目６７）
以下のＲＡ−ＲＮＴＩ計算式またはｍｉｎＰｅｒｉｏｄ値のうちの少なくとも１つは、以下の、ダウンリンク制御チャネル検索空間によって持続される効果的なサブフレームの数（Ｒｍａｘ）、前記ダウンリンク制御チャネル伝送周期、またはＲＡＲウィンドウ長のうちの少なくとも１つによって判定されることができる、項目５６−６６のいずれかに記載のランダムアクセスのための方法。
（項目６８）
以下の、Ｒｍａｘ、前記ダウンリンク制御チャネル伝送周期、または前記ＲＡＲウィンドウ長のうちの少なくとも１つに基づいて前記ｍｉｎＰｅｒｉｏｄ値を判定することは、
最小ＰＲＡＣＨ周期として前記ｍｉｎＰｅｒｉｏｄを判定すること、
前記Ｒｍａｘ値に従って前記ｍｉｎＰｅｒｉｏｄを判定すること、
前記ダウンリンク制御チャネル伝送周期値に従って前記ｍｉｎＰｅｒｉｏｄを判定すること、または、
前記ＲＡＲウィンドウ長に従って前記ｍｉｎＰｅｒｉｏｄ値を判定すること、
を含む、項目６７に記載のランダムアクセスのための方法。
（項目６９）
以下の、Ｒｍａｘ、前記ダウンリンク制御チャネル伝送周期、または前記ＲＡＲウィンドウ長のうちの少なくとも１つに従って前記ＲＡ−ＲＮＴＩ計算式を判定することは、
前記Ｒｍａｘに従って前記ＲＡ−ＲＮＴＩ計算式を判定すること、
前記ダウンリンク制御チャネル伝送周期に従って前記ＲＡ−ＲＮＴＩ計算式を判定すること、または、
前記ＲＡＲウィンドウ長に従って前記ＲＡ−ＲＮＴＩ計算式を判定すること、
を含む、項目６７に記載のランダムアクセスのための方法。
（項目７０）
ｋ１は、１であり、ｋ２は、システムにおける帯域の最大数である、項目６１−６４のいずれかに記載のランダムアクセスのための方法。
（項目７１）
ｚに関する値範囲は、２０４８、１０２４、５１２、２５６、１２８、６４を含む、項目６２−６３のいずれかに記載のランダムアクセスのための方法。
【国際調査報告】
2019508932.tif 000020
2019508932.tif 000021
2019508932.tif 000022
2019508932.tif 000023
2019508932.tif 000024
2019508932.tif 000025
2019508932.tif 000026
2019508932.tif 000027